(57)【要約】  撮像装置２は、被写体を撮像して画像データを生成する撮像部２１と、外部の通信機器３と情報を送受信可能に接続する第１通信部２４と、第１通信部２４を介して、撮像部２１にて生成された画像データを通信機器３に送信するとともに、通信機器３から画像データに含まれる被写体像を当該撮像装置２に記録させるための記録予約情報を受信する第１通信制御部２７１と、第１通信部２４を介して受信した記録予約情報に基づいて、被写体像を特定するための特定情報を生成し、当該特定情報を第１記録部２６に記録する特定情報生成部２７３とを備える。
2015052959.tif 000002
【特許請求の範囲】
【請求項１】
被写体を撮像する撮像装置において、
前記被写体を撮像して画像データを生成する撮像部と、
外部の通信機器と情報を送受信可能に接続する第１通信部と、
前記第１通信部を介して、前記撮像部にて生成された前記画像データを前記通信機器に送信するとともに、前記通信機器から前記画像データに含まれる被写体像を当該撮像装置に記録させるための記録予約情報を受信する第１通信制御部と、
前記第１通信部を介して受信した前記記録予約情報に基づいて、前記被写体像を特定するための特定情報を生成し、当該特定情報を記録部に記録する特定情報生成部とを備える
ことを特徴とする撮像装置。
【請求項２】
前記記録部に記録された前記特定情報に基づいて、前記撮像部にて生成された前記画像データに前記被写体像が含まれているか否かを判定する判定部と、
前記判定部にて前記画像データに前記被写体像が含まれていると判定された場合に、前記画像データに前記被写体像が含まれている旨を報知する報知部とを備える
ことを特徴とする請求項１に記載の撮像装置。
【請求項３】
前記報知部は、
画像を表示する第１表示部と、
前記撮像部にて生成された前記画像データに対応する画像を前記第１表示部に表示させるとともに、前記判定部にて前記画像データに前記被写体像が含まれていると判定された場合に、前記撮像部にて生成された前記画像データに対応する画像に前記被写体像を識別するための識別情報を重畳した重畳画像を前記第１表示部に表示させる第１表示制御部とを備える
ことを特徴とする請求項２に記載の撮像装置。
【請求項４】
前記記録部に記録された前記特定情報に基づいて、前記撮像部にて生成された前記画像データに前記被写体像が含まれているか否かを判定する判定部と、
前記判定部にて前記画像データに前記被写体像が含まれていると判定された場合に、前記画像データを前記記録部に記録する撮像制御部とを備える
ことを特徴とする請求項１に記載の撮像装置。
【請求項５】
前記記録予約情報は、
前記被写体像を含む画像に関する被写体像情報を含み、
前記特定情報生成部は、
前記被写体像情報を含む前記特定情報を前記記録部に記録する
ことを特徴とする請求項１〜４のいずれか一つに記載の撮像装置。
【請求項６】
当該撮像装置の位置に関する位置情報を取得する位置取得部と、
当該撮像装置にて撮像される方位に関する方位情報を取得する方位取得部とを備え、
前記特定情報生成部は、
前記第１通信部を介して前記記録予約情報を受信した際に前記位置取得部及び前記方位取得部にてそれぞれ取得された前記位置情報及び前記方位情報を含む前記特定情報を前記記録部に記録する
ことを特徴とする請求項１〜５のいずれか一つに記載の撮像装置。
【請求項７】
前記記録部に記録された前記特定情報に基づいて、前記撮像部にて生成された前記画像データに前記被写体像が含まれているか否かを判定する判定部と、
前記判定部にて前記画像データに前記被写体像が含まれていないと判定された場合に、前記記録部に記録された前記特定情報、並びに、当該判定された時点で前記位置取得部及び前記方位取得部にてそれぞれ取得された前記位置情報及び前記方位情報に基づいて、前記被写体像の存在する方向または位置を報知する報知部とを備える
ことを特徴とする請求項６に記載の撮像装置。
【請求項８】
前記報知部は、
画像を表示する第１表示部と、
前記判定部にて前記画像データに前記被写体像が含まれていないと判定された場合に、前記記録部に記録された前記特定情報、並びに、当該判定された時点で前記位置取得部及び前記方位取得部にてそれぞれ取得された前記位置情報及び前記方位情報に基づいて、前記被写体像の存在する方向または位置を示すガイド情報を前記第１表示部に表示させる第１表示制御部とを備える
ことを特徴とする請求項７に記載の撮像装置。
【請求項９】
前記撮像部にて生成された前記画像データを時系列的に並べた動画ファイルを生成する動画ファイル生成部を備え、
前記第１通信制御部は、
前記第１通信部を介して、前記動画ファイル生成部にて生成された前記動画ファイルを前記通信機器に送信するとともに、前記通信機器から前記動画ファイル中の前記画像データに含まれる被写体像を当該撮像装置に記録させるための前記記録予約情報を受信する
ことを特徴とする請求項１〜８のいずれか一つに記載の撮像装置。
【請求項１０】
前記第１通信部を介して前記記録予約情報を受信した場合に、前記記録予約情報を受信した旨を報知する報知部を備える
ことを特徴とする請求項１〜９のいずれか一つに記載の撮像装置。
【請求項１１】
請求項１〜１０のいずれか一つに記載の撮像装置と、
前記撮像装置との間で情報を送受信可能に接続する通信機器とを備え、
前記通信機器は、
前記撮像装置との間で情報を送受信可能に接続する第２通信部と、
前記第２通信部を介して、前記撮像装置から画像データを受信する第２通信制御部と、
画像を表示する第２表示部と、
前記第２通信部を介して受信した前記画像データに対応する画像を前記第２表示部に表示させる第２表示制御部と、
前記撮像装置への操作指示を受け付ける指示受付部と、
前記指示受付部にて受け付けた操作指示に基づいて、前記画像データに含まれる被写体像を前記撮像装置に記録させるための記録予約情報を生成する記録予約情報生成部とを備え、
前記第２通信制御部は、
前記第２通信部を介して、前記記録予約情報生成部にて生成された前記記録予約情報を前記撮像装置に送信する
ことを特徴とする撮像システム。
【請求項１２】
被写体を撮像する撮像装置が行う撮像方法において、
前記被写体を撮像して画像データを生成する撮像ステップと、
前記撮像ステップにて生成した前記画像データを外部の通信機器に送信する送信ステップと、
前記通信機器から前記画像データに含まれる被写体像を前記撮像装置に記録させるための記録予約情報を受信した場合に、当該記録予約情報に基づいて、前記被写体像を特定するための特定情報を生成し、当該特定情報を記録部に記録する特定情報生成ステップとを含む
ことを特徴とする撮像方法。
【請求項１３】
請求項１２に記載の撮像方法を撮像装置に実行させる
ことを特徴とする撮像プログラム。
【発明の詳細な説明】
【技術分野】
【０００１】
本発明は、被写体を撮像する撮像装置、当該撮像装置を備えた撮像システム、当該撮像装置が行う撮像方法、及び当該撮像装置に実行させる撮像プログラムに関する。
【背景技術】
【０００２】
近年、デジタルカメラやデジタルビデオカメラ等の撮像装置において、撮像により生成した画像データに対応するライブビュー画像を表示部に表示するとともに、通信技術を用いて、当該画像データを携帯電話等の外部の通信機器に順次、送信する技術が知られている（例えば、特許文献１参照）。
特許文献１に記載の技術は、通信技術を用いて、通信機器のユーザが撮像装置のユーザに対して操作指示（例えば、特定の被写体を撮影させることを目的として画角を変更させる操作指示等）を与える技術である。
具体的に、特許文献１に記載の技術では、通信機器は、撮像装置から送信された画像データを順次、受信し、当該画像データに対応するライブビュー画像を表示部に順次、表示する。通信機器のユーザは、通信機器の表示部に表示されたライブビュー画像を確認し、例えば、撮像装置にて撮像される画角を変更させて特定の被写体を撮影させたい場合に、通信機器に対して所定の操作を実行する。この操作により、操作指示が通信機器から撮像装置に送信される。撮像装置は、当該操作指示を受信した後、当該操作指示に対応する情報（例えば、画角を変更する方向を示す矢印等）を表示部に表示する。そして、撮像装置のユーザは、当該撮像装置の表示部に表示された情報を確認し、当該情報に応じて撮影操作を行うか否かを判断する。
【先行技術文献】
【特許文献】
【０００３】
【特許文献１】特開２００６−１４１１９号公報
【発明の概要】
【発明が解決しようとする課題】
【０００４】
ところで、撮像装置のユーザは、通信機器から撮像装置に上述した操作指示が送信された場合であっても、現時点の状況（例えば、周囲環境を考慮して撮影を控える必要がある状況等）によっては、現時点ではなく後での撮影（通信機器のユーザが望む被写体の撮影）を要望する場合もある。
しかしながら、特許文献１に記載の技術では、通信機器のユーザは、撮像装置のユーザ側の状況を把握することが難しいため、自身の都合によって、上述した操作指示を行い、撮像装置のユーザに現時点での撮影を促すこととなる。
すなわち、特許文献１に記載の技術では、撮像装置のユーザの上記要望に応えることができず、利便性の向上が図れない、という問題がある。【０００５】
本発明は、上記に鑑みてなされたものであって、利便性の向上が図れる撮像装置、撮像システム、撮像方法、及び撮像プログラムを提供することを目的とする。
【課題を解決するための手段】
【０００６】
上述した課題を解決し、目的を達成するために、本発明に係る撮像装置は、被写体を撮像する撮像装置において、前記被写体を撮像して画像データを生成する撮像部と、外部の通信機器と情報を送受信可能に接続する第１通信部と、前記第１通信部を介して、前記撮像部にて生成された前記画像データを前記通信機器に送信するとともに、前記通信機器から前記画像データに含まれる被写体像を当該撮像装置に記録させるための記録予約情報を受信する第１通信制御部と、前記第１通信部を介して受信した前記記録予約情報に基づいて、前記被写体像を特定するための特定情報を生成し、当該特定情報を記録部に記録する特定情報生成部とを備えることを特徴とする。【０００７】
また、本発明に係る撮像装置は、上記発明において、前記記録部に記録された前記特定情報に基づいて、前記撮像部にて生成された前記画像データに前記被写体像が含まれているか否かを判定する判定部と、前記判定部にて前記画像データに前記被写体像が含まれていると判定された場合に、前記画像データに前記被写体像が含まれている旨を報知する報知部とを備えることを特徴とする。【０００８】
また、本発明に係る撮像装置は、上記発明において、前記報知部は、画像を表示する第１表示部と、前記撮像部にて生成された前記画像データに対応する画像を前記第１表示部に表示させるとともに、前記判定部にて前記画像データに前記被写体像が含まれていると判定された場合に、前記撮像部にて生成された前記画像データに対応する画像に前記被写体像を識別するための識別情報を重畳した重畳画像を前記第１表示部に表示させる第１表示制御部とを備えることを特徴とする。【０００９】
また、本発明に係る撮像装置は、上記発明において、前記記録部に記録された前記特定情報に基づいて、前記撮像部にて生成された前記画像データに前記被写体像が含まれているか否かを判定する判定部と、前記判定部にて前記画像データに前記被写体像が含まれていると判定された場合に、前記画像データを前記記録部に記録する撮像制御部とを備えることを特徴とする。【００１０】
また、本発明に係る撮像装置は、上記発明において、前記記録予約情報は、前記被写体像を含む画像に関する被写体像情報を含み、前記特定情報生成部は、前記被写体像情報を含む前記特定情報を前記記録部に記録することを特徴とする。【００１１】
また、本発明に係る撮像装置は、上記発明において、当該撮像装置の位置に関する位置情報を取得する位置取得部と、当該撮像装置にて撮像される方位に関する方位情報を取得する方位取得部とを備え、前記特定情報生成部は、前記第１通信部を介して前記記録予約情報を受信した際に前記位置取得部及び前記方位取得部にてそれぞれ取得された前記位置情報及び前記方位情報を含む前記特定情報を前記記録部に記録することを特徴とする。【００１２】
また、本発明に係る撮像装置は、上記発明において、画像を表示する第１表示部と、前記記録部に記録された前記特定情報に基づいて、前記撮像部にて生成された前記画像データに前記被写体像が含まれているか否かを判定する判定部と、前記判定部にて前記画像データに前記被写体像が含まれていないと判定された場合に、前記記録部に記録された前記特定情報、並びに、当該判定された時点で前記位置取得部及び前記方位取得部にてそれぞれ取得された前記位置情報及び前記方位情報に基づいて、前記被写体像の存在する方向または位置を報知する報知部とを備えることを特徴とする。【００１３】
また、本発明に係る撮像装置は、上記発明において、前記報知部は、画像を表示する第１表示部と、前記判定部にて前記画像データに前記被写体像が含まれていないと判定された場合に、前記記録部に記録された前記特定情報、並びに、当該判定された時点で前記位置取得部及び前記方位取得部にてそれぞれ取得された前記位置情報及び前記方位情報に基づいて、前記被写体像の存在する方向または位置を示すガイド情報を前記第１表示部に表示させる第１表示制御部とを備えることを特徴とする。【００１４】
また、本発明に係る撮像装置は、上記発明において、前記撮像部にて生成された前記画像データを時系列的に並べた動画ファイルを生成する動画ファイル生成部を備え、前記第１通信制御部は、前記第１通信部を介して、前記動画ファイル生成部にて生成された前記動画ファイルを前記通信機器に送信するとともに、前記通信機器から前記動画ファイル中の前記画像データに含まれる被写体像を当該撮像装置に記録させるための前記記録予約情報を受信することを特徴とする。【００１５】
また、本発明に係る撮像装置は、上記発明において、前記第１通信部を介して前記記録予約情報を受信した場合に、前記記録予約情報を受信した旨を報知する報知部を備えることを特徴とする。【００１６】
また、本発明に係る撮像システムは、上述した撮像装置と、前記撮像装置との間で情報を送受信可能に接続する通信機器とを備え、前記通信機器は、前記撮像装置との間で情報を送受信可能に接続する第２通信部と、前記第２通信部を介して、前記撮像装置から画像データを受信する第２通信制御部と、画像を表示する第２表示部と、前記第２通信部を介して受信した前記画像データに対応する画像を前記第２表示部に表示させる第２表示制御部と、前記撮像装置への操作指示を受け付ける指示受付部と、前記指示受付部にて受け付けた操作指示に基づいて、前記画像データに含まれる被写体像を前記撮像装置に記録させるための記録予約情報を生成する記録予約情報生成部とを備え、前記第２通信制御部は、前記第２通信部を介して、前記記録予約情報生成部にて生成された前記記録予約情報を前記撮像装置に送信することを特徴とする。【００１７】
また、本発明に係る撮像方法は、被写体を撮像する撮像装置が行う撮像方法において、前記被写体を撮像して画像データを生成する撮像ステップと、前記撮像ステップにて生成した前記画像データを外部の通信機器に送信する送信ステップと、前記通信機器から前記画像データに含まれる被写体像を前記撮像装置に記録させるための記録予約情報を受信した場合に、当該記録予約情報に基づいて、前記被写体像を特定するための特定情報を生成し、当該特定情報を記録部に記録する特定情報生成ステップとを含むことを特徴とする。【００１８】
また、本発明に係る撮像プログラムは、上述した撮像方法を撮像装置に実行させることを特徴とする。
【発明の効果】
【００１９】
本発明に係る撮像装置は、外部の通信機器から記録予約情報を受信した場合に、当該記録予約情報に基づいて、通信機器のユーザが望む被写体像を特定するための特定情報を生成する。そして、撮像装置は、当該特定情報を記録部に記録する。
このため、撮像装置のユーザは、例えば、記録部に記録された特定情報に基づいて、通信機器のユーザが望む被写体を把握し、撮像装置に対して当該被写体の撮影操作を行うことができる。すなわち、撮像装置のユーザは、現時点の状況を考慮し、現時点ではなく後で、通信機器のユーザが望む被写体の撮影を行うことができる。
したがって、本発明に係る撮像装置によれば、利便性の向上が図れる、という効果を奏する。【００２０】
本発明に係る撮像システムは、上述した撮像装置を備えるため、上述した撮像装置と同様の効果を奏する。
本発明に係る撮像方法は、上述した撮像装置が行う撮像方法であるため、上述した撮像装置と同様の効果を奏する。
本発明に係る撮像プログラムは、上述した撮像装置にて実行されるプログラムであるため、上述した撮像装置と同様の効果を奏する。
【図面の簡単な説明】
【００２１】
【図１】図１は、本発明の実施の形態１に係る撮像システムの構成を示すブロック図である。
【図２】図２は、図１に示した撮像装置の動作を示すフローチャートである。
【図３】図３は、図１に示した通信機器の動作を示すフローチャートである。
【図４】図４は、図２に示した撮像装置のユーザがいる場所の風景を示す図である。
【図５】図５は、図２及び図３に示した撮像システムの動作時（自動撮影モード時）に通信機器のユーザが行う操作指示、並びに、撮像装置及び通信機器に表示される画像の一例を示す図である。
【図６】図６は、図２及び図３に示した撮像システムの動作時（手動撮影モード時）に通信機器のユーザが行う操作指示、並びに、撮像装置及び通信機器に表示される画像の一例を示す図である。
【図７】図７は、本発明の実施の形態２に係る撮像装置のユーザに面する側の構成を示す斜視図である。
【図８】図８は、図７に示した撮像装置の構成を示すブロック図である。
【図９】図９は、図７及び図８に示した撮像装置の動作を示すフローチャートである。
【図１０】図１０は、図９に示した撮像システムの動作時（自動撮影モード時）に通信機器のユーザが行う操作指示、並びに、撮像装置及び通信機器に表示される画像の一例を示す図である。
【図１１】図１１は、図９に示した撮像システムの動作時（手動撮影モード時）に通信機器のユーザが行う操作指示、並びに、撮像装置及び通信機器に表示される画像の一例を示す図である。
【図１２】図１２は、本発明の実施の形態３に係る撮像システムの構成を示すブロック図である。
【図１３】図１３は、図１２に示した撮像装置の動作を示すフローチャートである。
【図１４】図１４は、図１２に示した通信機器の動作を示すフローチャートである。
【発明を実施するための形態】
【００２２】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２３】
（実施の形態１）
〔撮像システムの概略構成〕
図１は、本発明の実施の形態１に係る撮像システム１の構成を示すブロック図である。
撮像システム１は、互いに異なるユーザによりそれぞれ操作され、無線通信により互いに情報の送受信を可能に接続する撮像装置２（図１）及び通信機器３（図１）を備える。
なお、撮像システム１としては、無線通信に限られず、有線通信により互いに情報の送受信を可能に撮像装置２及び通信機器３を接続した構成としても構わない。
そして、撮像システム１は、通信機器３のユーザが特定の被写体を撮像装置２に撮影させる操作指示を通信機器３に対して行うことにより、通信機器３のユーザから離れた場所にある撮像装置２に当該被写体の自動撮影を行わせる、あるいは、撮像装置２が所定の表示を行って撮像装置２のユーザに対して当該被写体の撮影操作を促すシステムである。
【００２４】
〔撮像装置の構成〕
撮像装置２は、被写体を撮像する装置であり、例えば、デジタルカメラ、デジタルビデオカメラ、撮影機能を有する携帯電話やタブレット型携帯機器等の電子機器、内視鏡、または顕微鏡等として構成される。
なお、以下では、撮像装置２の構成として、本発明の要部を主に説明する。
この撮像装置２は、図１に示すように、撮像部２１と、第１表示部２２と、第１入力部２３と、第１通信部２４と、第１メモリ部２５と、第１記録部２６と、第１制御部２７等を備える。
【００２５】
撮像部２１は、第１制御部２７による制御の下、被写体を撮像して画像データを生成する。この撮像部２１は、受光した光を電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。
そして、撮像部２１にて生成された画像データは、第１制御部２７による制御の下、順次、第１メモリ部２５に記憶されるとともに、撮像装置２のユーザによる第１入力部２３への撮影操作に応じて第１記録部２６に記録される。また、撮像装置２が自動撮影モードに設定されている場合には、撮像部２１にて生成された画像データのうち、通信機器３のユーザが望む特定の被写体像を含む画像データは、第１制御部２７による制御の下、第１記録部２６に記録される。
なお、以下では、通信機器３のユーザが望む特定の被写体像を「指定撮影対象」と記載する。
【００２６】
ここで、撮像装置２は、当該撮像装置２のユーザによる第１入力部２３への操作に応じて、自動撮影モードまたは手動撮影モードに設定される。また、このような自動撮影モードまたは手動撮影モードのいずれのモードに設定されているかを示す設定情報は、第１メモリ部２５に記憶される。
自動撮影モードは、撮像装置２のユーザによる第１入力部２３への操作によらず、撮像部２１にて生成された画像データのうち指定撮影対象を含む画像データを自動的に第１記録部２６に記録するモードである。
手動撮影モードは、撮像装置２のユーザによる第１入力部２３への撮影操作により、撮像部２１にて生成された画像データを第１記録部２６に記録するモードである。
【００２７】
第１表示部２２は、液晶または有機ＥＬ（Ｅｌｅｃｔｒｏ  Ｌｕｍｉｎｅｓｃｅｎｃｅ）等からなる表示パネルを用いて構成されている。
例えば、第１表示部２２は、第１制御部２７による制御の下、撮像部２１が連続的に生成し第１メモリ部２５に順次、記憶される画像データ（以下、ライブビュー画像データと記載）に対応するライブビュー画像を順次、表示（ライブビュー表示）する。また、第１表示部２２は、第１制御部２７による制御の下、ライブビュー画像に指定撮影対象が含まれている場合に、当該ライブビュー画像に対して当該指定撮影対象を識別するための識別情報を重畳した重畳画像を表示する。
【００２８】
第１入力部２３は、ユーザ操作を受け付けるボタンやスイッチ等を用いて構成され、当該ユーザ操作に応じた指示信号を第１制御部２７に出力する。
第１通信部２４は、第１制御部２７による制御の下、通信機器３との間でライブビュー画像データや通信に必要な信号を含む各種データの無線通信を所定のプロトコルに従って行う。
第１メモリ部２５は、撮像部２１にて生成された画像データ、通信機器３から第１通信部２４を介して受信した記録予約情報、自動撮影モードまたは手動撮影モードに関する設定情報等を記憶する。
【００２９】
第１記録部２６は、本発明に係る記録部としての機能を有し、図１に示すように、プログラム記録部２６１と、特定情報記録部２６２と、画像データ記録部２６３等を備える。
プログラム記録部２６１は、第１制御部２７が実行する各種プログラム（撮像プログラムを含む）、及びプログラムの実行中に使用される各種データ等を記録する。
特定情報記録部２６２は、第１制御部２７による制御の下、当該第１制御部２７にて生成された特定情報を記録する。
画像データ記録部２６２は、第１制御部２７による制御の下、撮像部２１にて生成された画像データを記録する。
【００３０】
第１制御部２７は、ＣＰＵ（Ｃｅｎｔｒａｌ  Ｐｒｏｃｅｓｓｉｎｇ  Ｕｎｉｔ）等を用いて構成され、第１入力部２３からの指示信号や第１通信部２４を介して受信した記録予約情報等に応じて撮像装置２を構成する各部に対応する指示やデータの転送等を行って撮像装置２の動作を統括的に制御する。
この第１制御部２７は、図１に示すように、第１通信制御部２７１と、第１表示制御部２７２と、特定情報生成部２７３と、判定部２７４と、撮像制御部２７５等を備える。
第１通信制御部２７１は、第１通信部２４の動作を制御し、通信機器３との間で無線通信を行う。
例えば、第１通信制御部２７１は、第１通信部２４を介して、撮像部２１が連続的に生成し第１メモリ部２５に順次、記憶されたライブビュー画像データを順次、通信機器３に送信するとともに、通信機器３から記録予約情報を受信する。
【００３１】
第１表示制御部２７２は、第１表示部２２の動作を制御し、第１表示部２２に画像を表示させる。
例えば、第１表示制御部２７２は、第１メモリ部２５に記憶されたライブビュー画像データを読み出し、第１表示部２２にライブビュー表示を実行させる。また、第１表示制御部２７２は、画像データ記録部２６３に記録された画像データを読み出し、第１表示部２２に当該画像データに対応する画像を表示させる。さらに、第１表示制御部２７２は、ライブビュー画像に指定撮影対象が含まれている場合に、当該ライブビュー画像に対して当該指定撮影対象を識別するための識別情報を重畳した重畳画像を第１表示部２２に表示させる。
以上説明した第１表示部２２及び第１表示制御部２７２は、本発明に係る報知部として機能する。
【００３２】
特定情報生成部２７３は、通信機器３から送信され第１通信部２４を介して受信した記録予約情報に基づいて、指定撮影対象を特定するための特定情報を生成し、当該特定情報を特定情報記録部２６２に記録する。
判定部２７４は、特定情報記録部２６２に記録された特定情報に基づいて、第１メモリ部２５に記憶された最新のライブビュー画像データに指定撮影対象が含まれているか否かを順次、判定する。
ここで、上記最新のライブビュー画像データは、第１表示部２２に現在表示されているライブビュー画像と同一の画像データである。
【００３３】
撮像制御部２７５は、所定の場合に、第１メモリ部２５に記憶された最新のライブビュー画像データを画像データ記録部２６３に記録する。
ここで、上記所定の場合とは、第１入力部２３から指示信号を入力した場合（撮像装置２のユーザにより第１入力部２３に撮影操作が実行された場合）や、撮像装置２が自動撮影モードに設定された状態で判定部２７４にて最新のライブビュー画像データに指定撮影対象が含まれていると判定された場合である。
【００３４】
〔通信機器の構成〕
通信機器３は、撮像装置２と無線通信を行う機器であり、例えば、デジタルカメラ、デジタルビデオカメラ、または携帯電話やタブレット型携帯機器等として構成される。
なお、以下では、通信機器３の構成として、本発明の要部を主に説明する。
この通信機器３は、図１に示すように、第２表示部３１と、第２入力部３２と、第２通信部３３と、第２メモリ部３４と、第２記録部３５と、第２制御部３６等を備える。
【００３５】
第２表示部３１は、液晶または有機ＥＬ等からなる表示パネルを用いて構成され、第２制御部３６による制御の下、種々の画像を表示する。
第２入力部３２は、ボタン、スイッチ、タッチパネル、マイクロフォン等を用いて構成されている。
すなわち、第２入力部（ボタン、スイッチ）３２は、通信機器３のユーザによるユーザ操作を受け付け、当該ユーザ操作に応じた指示信号を第２制御部３６に出力する。また、第２入力部（タッチパネル）３２は、外部からの物体のタッチを検出し、検出したタッチ位置に応じた位置信号を第２制御部３６に出力する。さらに、第２入力部（マイクロフォン等）３２は、通信機器３のユーザが発した言葉（音声）を入力して電気信号に変換し、変換した電気信号に標本化及び量子化を施してＡ／Ｄ変換を行うことによって音声データを生成し、当該音声データを第２制御部３６に出力する。
そして、第２入力部３２は、本発明に係る指示受付部としての機能を有する。
【００３６】
第２通信部３３は、第２制御部３６による制御の下、撮像装置２との間でライブビュー画像データや通信に必要な信号を含む各種データの無線通信を所定のプロトコルに従って行う。
第２メモリ部３４は、撮像装置２から送信され第２通信部３３を介して受信したライブビュー画像データ等を記憶する。
第２記録部３５は、第２制御部３６が実行する各種プログラム、及びプログラムの実行中に使用される各種データ等を記録する。
【００３７】
第２制御部３６は、ＣＰＵ等を用いて構成され、第２入力部３２からの指示信号、位置信号、あるいは音声データ等に応じて通信機器３を構成する各部に対応する指示やデータの転送等を行って通信機器３の動作を統括的に制御する。
第２通信制御部３６１は、第２通信部３３の動作を制御し、撮像装置２との間で無線通信を行う。
例えば、第２通信制御部３６１は、第２通信部３３を介して、撮像装置２からライブビュー画像データを順次、受信するとともに、記録予約情報生成部３６３にて生成された記録予約情報を撮像装置２に送信する。
【００３８】
第２表示制御部３６２は、第２表示部３１に種々の画像（例えば、第２通信部３３を介して受信したライブビュー画像データに対応するライブビュー画像）を表示させる。
記録予約情報生成部３６３は、第２入力部３２からの指示信号、位置信号、あるいは音声データに基づいて、特定の被写体を撮像装置２に撮影させる（ライブビュー画像データに含まれる被写体像（指定撮影対象）を撮像装置２に記録させる）ための記録予約情報を生成する。
【００３９】
〔撮像システムの動作〕
次に、上述した撮像システム１の動作について説明する。
以下では、撮像システム１の動作として、撮像装置２の動作（本発明に係る撮像方法）、及び通信機器３の動作を順に説明する。
【００４０】
〔撮像装置の動作〕
図２は、撮像装置２の動作を示すフローチャートである。
撮像装置２のユーザによる第１入力部２３への操作によって撮像装置２の電源がオンになる（ステップＳ１０１：Ｙｅｓ）と、第１制御部２７は、撮像部２１に撮像を開始させる（ステップＳ１０２：撮像ステップ）。そして、撮像部２１にて生成された画像データは、順次、第１メモリ部２５に記憶される。
続いて、第１表示制御部２７２は、第１表示部２２にライブビュー表示を開始させる（ステップＳ１０３）。
また、第１通信制御部２７１は、第１通信部２４を介して、第１メモリ部２５に記憶された最新のライブビュー画像データ（ステップＳ１０３にて第１表示部２２に表示されているライブビュー画像と同一の画像データ）を順次、通信機器３に送信する（ステップＳ１０４：送信ステップ）。
なお、図２では、説明の便宜上、ステップＳ１０４がステップＳ１０３の後に実行される順序で図示しているが、実際にはステップＳ１０３、Ｓ１０４は略同時に実行されるものである。
【００４１】
続いて、第１通信制御部２７１は、通信機器３から第１通信部２４を介して記録予約情報を受信したか否かを判断する（ステップＳ１０５）。
記録予約情報を受信したと判断された場合（ステップＳ１０５：Ｙｅｓ）には、第１制御部２７は、当該記録予約情報を第１メモリ部２５に記憶する。そして、特定情報生成部２７３は、第１メモリ部２５に記憶された記録予約情報に基づいて、指定撮影対象を特定するための特定情報を生成し、当該特定情報を特定情報記録部２６２に記録する（ステップＳ１０６：特定情報生成ステップ）。この後、撮像装置２は、ステップＳ１０８に移行する。
【００４２】
一方、記録予約情報を受信していないと判断された場合（ステップＳ１０５：Ｎｏ）には、第１制御部２７は、特定情報記録部２６２に記録された特定情報を参照し、画像データの記録（後述するステップＳ１１０，Ｓ１１４）に用いていない特定情報があるか否かを判断する（ステップＳ１０７）。
画像データの記録に用いていない特定情報がないと判断された場合（ステップＳ１０７：Ｎｏ）には、撮像装置２は、ステップＳ１１３に移行する。
一方、画像データの記録に用いていない特定情報があると判断された場合（ステップＳ１０７：Ｙｅｓ）には、撮像装置２は、ステップＳ１０８に移行する。
【００４３】
ステップＳ１０６の後、または、ステップＳ１０７において画像データの記録に用いていない特定情報があると判断された場合（ステップＳ１０７：Ｙｅｓ）には、第１制御部２７は、第１メモリ部２５に記憶された設定情報を参照し、撮像装置２が自動撮影モードに設定されているか否かを判断する（ステップＳ１０８）。
撮像装置２が自動撮影モードに設定されていると判断された場合（ステップＳ１０８：Ｙｅｓ）には、判定部２７４は、特定情報記録部２６２に記録された特定情報に基づいて、第１メモリ部２５に記憶された最新のライブビュー画像データに指定撮影対象が含まれているか否かを判定する（ステップＳ１０９）。
ここで、ステップＳ１０９で用いられる特定情報は、特定情報記録部２６２に記録された最新の特定情報の他、既に記録された特定情報のうち、ステップＳ１０７において画像データの記録に用いられていないと判断された特定情報も含むものである。
【００４４】
最新のライブビュー画像データに指定撮影対象が含まれていないと判定された場合（ステップＳ１０９：Ｎｏ）には、撮像装置２は、ステップＳ１０１に戻る。
一方、最新のライブビュー画像データに指定撮影対象が含まれていると判定された場合（ステップＳ１０９：Ｙｅｓ）には、撮像制御部２７５は、当該最新のライブビュー画像データを画像データ記録部２６３に記録する（ステップＳ１１０）。そして、撮像制御部２７５は、画像データの記録に用いたことを示す情報（フラグ）を、ステップＳ１０９で用いられた特定情報に関連付けて特定情報記録部２６２に記録する。すなわち、ステップＳ１０７では、当該フラグを参照することで、画像データの記録に用いていない特定情報があるか否かを判断するものである。
この後、撮像装置２は、ステップＳ１０１に戻る。
【００４５】
ステップＳ１０８において、撮像装置２が手動撮影モードに設定されていると判断された場合（ステップＳ１０８：Ｎｏ）には、判定部２７４は、ステップＳ１０９と同様に、特定情報記録部２６２に記録された特定情報に基づいて、第１メモリ部２５に記憶された最新のライブビュー画像データに指定撮影対象が含まれているか否かを判定する（ステップＳ１１１）。
最新のライブビュー画像データに指定撮影対象が含まれていないと判定された場合（ステップＳ１１１：Ｎｏ）には、撮像装置２は、ステップＳ１１３に移行する。
【００４６】
一方、最新のライブビュー画像データに指定撮影対象が含まれていると判定された場合（ステップＳ１１１：Ｙｅｓ）には、第１表示制御部２７２は、当該最新のライブビュー画像データに対応するライブビュー画像に対して当該指定撮影対象を識別するための識別情報を重畳した重畳画像を一定期間、第１表示部２２に表示させる（ステップＳ１１２）。
【００４７】
ステップＳ１１２の後、ステップＳ１０７において画像データの記録に用いていない特定情報がないと判断された場合（ステップＳ１０７：Ｎｏ）、またはステップＳ１１１において最新のライブビュー画像データに指定撮影対象が含まれていないと判定された場合（ステップＳ１１１：Ｎｏ）には、撮像制御部２７５は、撮像装置２のユーザによる第１入力部２３への撮影操作があったか否かを判断する（ステップＳ１１３）。
撮影操作がないと判断された場合（ステップＳ１１３：Ｎｏ）には、撮像装置２は、ステップＳ１０１に戻る。
一方、撮影操作があったと判断した場合（ステップＳ１１３：Ｙｅｓ）には、撮像制御部２７５は、第１メモリ部２５に記憶された最新のライブビュー画像データを画像データ記録部２６３に記録する（ステップＳ１１４）。そして、撮像制御部２７５は、ステップＳ１１２で重畳画像が表示された後に撮影操作があったと判断した場合（ステップＳ１１３：Ｙｅｓ）に、画像データの記録に用いたことを示す情報（フラグ）を、ステップＳ１１１で用いられた特定情報に関連付けて特定情報記録部２６２に記録する。すなわち、ステップＳ１０７では、当該フラグを参照することで、画像データの記録に用いていない特定情報があるか否かを判断するものである。
この後、撮像装置２は、ステップＳ１０１に戻る。
【００４８】
〔通信機器の動作〕
図３は、通信機器３の動作を示すフローチャートである。
通信機器３のユーザによる第２入力部３２への操作によって通信機器３の電源がオンになる（ステップＳ２０１：Ｙｅｓ）と、第２通信制御部３６１は、撮像装置２から第２通信部３３を介してライブビュー画像データを受信したか否かを判断する（ステップＳ２０２）。
ライブビュー画像データを受信していないと判断された場合（ステップＳ２０２：Ｎｏ）には、通信機器３は、ステップＳ２０１に戻る。
【００４９】
一方、ライブビュー画像データを受信したと判断された場合（ステップＳ２０２：Ｙｅｓ）には、第２制御部３６は、受信したライブビュー画像データを順次、第２メモリ部３４に記憶する。そして、第２表示制御部３６２は、第２メモリ部３４に記憶されたライブビュー画像データを順次、読み出し、第２表示部３１に当該ライブビュー画像データに対応するライブビュー画像を表示（ライブビュー表示）させる（ステップＳ２０３）。
【００５０】
続いて、記録予約情報生成部３６３は、第２入力部３２からの指示信号、位置信号、あるいは音声データに基づいて、撮像装置２への操作指示があったか否かを判断する（ステップＳ２０４）。
操作指示がないと判断された場合（ステップＳ２０４：Ｎｏ）には、通信機器３は、ステップＳ２０１に戻る。
一方、操作指示があったと判断した場合（ステップＳ２０４：Ｙｅｓ）には、記録予約情報生成部３６３は、第２入力部３２からの指示信号、位置信号、あるいは音声データに基づいて、ライブビュー画像データに含まれる被写体像（指定撮影対象）を撮像装置２に記録させるための記録予約情報を生成する（ステップＳ２０５）。
続いて、第２通信制御部３６１は、第２通信部３３を介して、ステップＳ２０５にて生成された記録予約情報を撮像装置２に送信する（ステップＳ２０６）。この後、通信機器３は、ステップＳ２０２に戻る。
【００５１】
〔操作指示及び表示形態の具体例〕
以上説明した撮像システム１の動作時に通信機器３のユーザが行う操作指示や、撮像装置２及び通信機器３に表示される画像の具体例について説明する。
以下では、撮像装置２が「自動撮影モード」に設定されている場合、「手動撮影モード」に設定されている場合を順に説明する。
【００５２】
〔自動撮影モード〕
図４は、撮像装置２のユーザがいる場所の風景を示す図である。図５は、撮像システム１の動作時（自動撮影モード時）に通信機器３のユーザが行う操作指示、並びに、撮像装置２及び通信機器３に表示される画像の一例を示す図である。
具体的に、図５（ａ）〜図５（ｄ）は、撮像装置２に表示される画像の一例を示す図である。図５（ｅ）〜図５（ｉ）は、通信機器３に表示される画像の一例を示す図である。
例えば、撮像装置２におけるライブビュー表示（ステップＳ１０３）として、現在表示しているライブビュー画像を図５（ａ）に示したライブビュー画像Ｗ１００とする。
この場合、上述したように、撮像装置２は、ライブビュー表示（ステップＳ１０３）を行いながら、ステップＳ１０４にて現在表示しているライブビュー画像Ｗ１００に対応するライブビュー画像データを通信機器３に送信する。そして、通信機器３は、受信したライブビュー画像データに対応するライブビュー画像を順次、表示する（ステップＳ２０３）。このため、図５（ｅ）に示すように、通信機器３が表示するライブビュー画像Ｗ２００は、撮像装置２にて表示されているライブビュー画像Ｗ１００（図５（ａ））と略同一の画像となる。
【００５３】
ここで、通信機器３のユーザは、通信機器３に表示されたライブビュー画像Ｗ２００（図５（ｅ））を確認する。そして、通信機器３のユーザは、当該ライブビュー画像Ｗ２００に含まれる指定撮影対象Ｏ（図５（ｆ）に示す女性の人物像）を撮像装置２に記録させたい場合（図５（ｆ）に示す女性の被写体を撮像装置２のユーザに撮影させたい場合）には、図５（ｆ）に示すように、撮像装置２における表示画面上（第２入力部（タッチパネル）３２）の指定撮影対象Ｏを指でタッチする。
そして、通信機器３は、第２入力部（タッチパネル）３２からの位置信号に基づいて、操作指示があったと判断する（ステップＳ２０４：Ｙｅｓ）。また、通信機器３は、当該操作指示があった時点で表示しているライブビュー画像Ｗ２００に対応するライブビュー画像データ（被写体像情報）とタッチされたライブビュー画像Ｗ２００中の位置Ｐ（図５（ｆ））に関する情報とを記録予約情報として生成し（ステップＳ２０５）、撮像装置２に送信する（ステップＳ２０６）。
【００５４】
一方、撮像装置２は、記録予約情報を受信する（ステップＳ１０５：Ｙｅｓ）と、受信した記録予約情報に含まれるライブビュー画像データ（ライブビュー画像Ｗ２００）を解析し、位置Ｐを含む指定撮影対象Ｏを特定するための特定情報を生成及び記録する（ステップＳ１０６）。
例えば、撮像装置２は、ライブビュー画像データを解析することで、着目する画素とその周囲の画素との間での相関性（輝度、色差、色相、明度、彩度等の相関性）を算出する。また、撮像装置２は、記録予約情報に含まれる位置Ｐに関する情報に基づいて、当該相関性から、位置Ｐを含む指定撮影対象Ｏの輪郭を決定する特徴点を抽出する。そして、撮像装置２は、当該特徴点の抽出により特定された指定撮影対象Ｏに関する画像データ（被写体像情報）を特定情報として生成する。
【００５５】
撮像装置２は、特定情報の生成及び記録（ステップＳ１０６）の後、パターンマッチング等により、第１メモリ部２５に記憶された最新のライブビュー画像データに当該特定情報に基づく指定撮影対象Ｏが含まれるか否かを判定する（ステップＳ１０９）。
例えば、撮像装置２のユーザが撮像装置２の画角を右側に変更した場合（撮像装置２に表示されるライブビュー画像が図５（ａ）に示すライブビュー画像Ｗ１００から図５（ｂ），図５（ｃ）に示すライブビュー画像Ｗ１０１，Ｗ１０２に順次、変更された場合）には、撮像装置２は、当該ライブビュー画像Ｗ１０１，Ｗ１０２に指定撮影対象Ｏが含まれていないため、ステップＳ１０９で「Ｎｏ」と判定する。
【００５６】
一方、撮像装置２のユーザが撮像装置２の画角を左側に戻した場合（撮像装置２に表示されるライブビュー画像が図５（ｄ）に示すライブビュー画像Ｗ１０３に変更された場合）には、撮像装置２は、当該ライブビュー画像Ｗ１０３に指定撮影対象Ｏが含まれているため、ステップＳ１０９で「Ｙｅｓ」と判定する。そして、撮像装置２は、当該ライブビュー画像Ｗ１０３に対応するライブビュー画像データを画像データ記録部２６３に記録する（ステップＳ１１０）。
なお、上記のように撮像装置２の画角を変更している際には、通信機器３にも、図５（ｇ）〜図５（ｉ）に示すように、ライブビュー画像Ｗ１０１〜Ｗ１０３にそれぞれ対応したライブビュー画像Ｗ２０１〜Ｗ２０３が表示される。
【００５７】
〔手動撮影モード〕
図６は、撮像システム１の動作時（手動撮影モード時）に通信機器３のユーザが行う操作指示、並びに、撮像装置２及び通信機器３に表示される画像の一例を示す図である。
なお、図６では、通信機器３のユーザが行う操作指示を図５と同一のものとしている。また、図６では、撮像装置２のユーザが行う撮像装置２の画角を変更する操作も図５と同一のものとしている。このため、図６（ａ）〜図６（ｉ）で示すライブビュー画像Ｗ１００〜Ｗ１０３，Ｗ２００〜Ｗ２０３は、図５（ａ）〜図５（ｉ）で示したライブビュー画像Ｗ１００〜Ｗ１０３，Ｗ２００〜Ｗ２０３とそれぞれ同一の画像である。
以下では、自動撮影モード時と異なる点を主に説明する。
【００５８】
撮像装置２は、自動撮影モード時での処理と同様の処理により特定情報を生成及び記録した（ステップＳ１０６）後、ステップＳ１０９と同様に、第１メモリ部２５に記憶された最新のライブビュー画像データに指定撮影対象Ｏが含まれるか否かを判定する（ステップＳ１１１）。
例えば、撮像装置２のユーザが撮像装置２の画角を右側に変更した場合（撮像装置２に表示されるライブビュー画像が図６（ａ）に示すライブビュー画像Ｗ１００から図６（ｂ），図６（ｃ）に示すライブビュー画像Ｗ１０１，Ｗ１０２に順次、変更された場合）には、撮像装置２は、当該ライブビュー画像Ｗ１０１，Ｗ１０２に指定撮影対象Ｏが含まれていないため、ステップＳ１１１で「Ｎｏ」と判定する。
【００５９】
一方、撮像装置２のユーザが撮像装置２の画角を左側に戻した場合（撮像装置２に表示されるライブビュー画像が図６（ｄ）に示すライブビュー画像Ｗ１０３に変更された場合）には、撮像装置２は、当該ライブビュー画像Ｗ１０３に指定撮影対象Ｏが含まれているため、ステップＳ１１１で「Ｙｅｓ」と判定する。そして、撮像装置２は、図６（ｄ）に示すように、ライブビュー画像Ｗ１０３に対して、当該ライブビュー画像Ｗ１０３に含まれる指定撮影対象Ｏを識別するための識別情報Ｉ（図６（ｄ）に示す例では、指定撮影対象Ｏを指し示す吹き出し中に「撮影対象です」のメッセージが記載された情報）を重畳した重畳画像Ｓ１を一定期間、表示し（ステップＳ１１２）、撮像装置２のユーザに撮影操作を促す。撮像装置２のユーザが撮影操作を行った場合には、撮像装置２は、最新のライブビュー画像データ（ライブビュー画像Ｗ１０３）を画像データ記録部２６３に記録する（ステップＳ１１４）。
【００６０】
以上説明した本実施の形態１に係る撮像装置２は、通信機器３から記録予約情報を受信した場合に、当該記録予約情報に基づいて、指定撮影対象を特定するための特定情報を生成する。そして、撮像装置２は、当該特定情報を特定情報記録部２６２に記録する。
このため、撮像装置２は、特定情報記録部２６２に記録された特定情報に基づいて、最新のライブビュー画像データに指定撮影対象が含まれているか否かを判定することができる。すなわち、撮像装置２は、指定撮影対象が含まれていると判定した場合に、当該ライブビュー画像データを自動的に画像データ記録部２６３に記録したり、撮像装置２のユーザに撮影操作を促す表示（図６の例では、識別情報Ｉの表示）を行ったりすることができる。
したがって、本実施の形態１に係る撮像装置２によれば、指定撮影対象を特定するための特定情報を生成及び記録しておくことで、現時点ではなく後で指定撮影対象の撮影を行うことができ、利便性の向上が図れる。
【００６１】
また、本実施の形態１では、記録予約情報及び特定情報には、指定撮影対象に関する画像データ（被写体像情報）が含まれているため、撮像部２１にて生成された画像データに指定撮影対象が含まれているか否かをパターンマッチング等により簡単に判定することができる。
【００６２】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２は、上述した実施の形態１で説明した撮像システム１を、撮像装置２としてデジタルカメラを採用し、当該デジタルカメラを利用した撮像システムに適用したものである。
以下、本実施の形態２に係る撮像システム１Ａを構成する撮像装置２Ａの構成を説明する。なお、撮像システム１Ａを構成する通信機器３については、上述した実施の形態１で説明した通信機器３と同様の構成であるため、説明を省略する。
【００６３】
〔撮像装置の概略構成〕
図７は、本発明の実施の形態２に係る撮像装置２Ａのユーザに面する側（前面側）の構成を示す斜視図である。図８は、撮像装置２Ａの構成を示すブロック図である。
本実施の形態２に係る撮像装置２Ａは、図７または図８に示すように、本体部４と、本体部４に着脱可能なレンズ部５とを備える。
【００６４】
〔本体部の構成〕
本体部４は、図７に示すように、上述した実施の形態１で説明した各構成２２〜２４，２７にそれぞれ対応する第１表示部２２Ａ、第１入力部２３Ａ、第１通信部２４Ａ、及び第１制御部２７Ａの他、シャッタ４０と、シャッタ駆動部４１と、撮像素子４２と、撮像素子駆動部４３と、信号処理部４４と、Ａ／Ｄ変換部４５と、画像処理部４６と、ＡＥ処理部４７と、ＡＦ処理部４８と、画像圧縮展開部４９と、位置取得部５０と、方位取得部５１と、表示駆動部５２と、タッチパネル５３と、記録媒体５４と、メモリＩ／Ｆ５５と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）５６と、Ｆｌａｓｈメモリ５７と、本体通信部５８と、バス５９等を備える。
【００６５】
シャッタ４０は、撮像素子４２の状態を露光状態または遮光状態に設定する。
シャッタ駆動部４１は、ステッピングモータ等を用いて構成され、第１制御部２７Ａから入力される指示信号に応じてシャッタ４０を駆動する。
撮像素子４２は、レンズ部５が集光した光を受光して電気信号に変換するＣＣＤ等を用いて構成される。
撮像素子駆動部４３は、第１制御部２７Ａから入力される指示信号に応じて、所定のタイミングで撮像素子４２から画像データ（アナログ信号）を信号処理部４４に出力させる。
この意味で、撮像素子駆動部４３は、電子シャッタとして機能する。
【００６６】
信号処理部４４は、撮像素子４２から入力されるアナログ信号に対して、アナログ処理を施してＡ／Ｄ変換部４５に出力する。
具体的には、信号処理部４４は、アナログ信号に対してノイズ低減処理及びゲインアップ処理等を行う。例えば、信号処理部４４は、アナログ信号に対して、リセットノイズ等を低減した上で波形整形を行い、さらに目的の明るさとなるようにゲインアップを行う。
Ａ／Ｄ変換部４５は、信号処理部４４から入力されるアナログ信号に対してＡ／Ｄ変換を行うことによってデジタルの画像データ（ＲＡＷデータ）を生成し、バス５９を介してＳＤＲＡＭ５６に出力する。
以上説明した撮像素子４２、信号処理部４４、及びＡ／Ｄ変換部４５は、本発明に係る撮像部としての機能を有する。
【００６７】
画像処理部４６は、第１制御部２７Ａによる制御の下、バス５９を介してＳＤＲＡＭ５６から画像データを取得し、取得した画像データに対して各種の画像処理を施す。この画像処理が施された画像データは、バス５９を介してＳＤＲＡＭ５６に出力される。
この画像処理部４６が行う各種の画像処理は、基本画像処理及び特殊画像処理を含む。
基本画像処理は、オプティカルブラック減算処理、ホワイトバランス調整処理、撮像素子がベイヤー配列の場合には画像データの同時化処理、カラーマトリクス減算処理、γ補正処理、色再現処理及びエッジ強調処理等を含む基本の画像処理である。
特殊画像処理は、「ポップアート」、「ファンタジックフォーカス」、「トイフォト」、「ジオラマ」、及び「ラフモノクローム」等の視覚的な効果を生じさせる画像処理である（例えば、特開２０１０−７４２４４号公報、特開２０１０−６２８３６号公報等を参照）。
【００６８】
ＡＥ処理部４７は、バス５９を介してＳＤＲＡＭ５６に記憶された画像データを取得し、当該取得した画像データに基づいて、静止画撮影または動画撮影を行う際の露出条件を設定する。
具体的には、ＡＥ処理部４７は、画像データから輝度を算出し、算出した輝度に基づいて、例えば、絞り値、露光時間、ＩＳＯ感度等を決定することで撮像装置２Ａの自動露出（Ａｕｔｏ  Ｅｘｐｏｓｕｒｅ）を行う。
ＡＦ処理部４８は、バス５９を介してＳＤＲＡＭ５６に記憶された画像データを取得し、取得した画像データに基づいて、撮像装置２Ａの自動焦点の調整を行う。
例えば、ＡＦ処理部４８は、画像データから高周波成分の信号を取り出し、高周波成分の信号に対してＡＦ（Ａｕｔｏ  Ｆｏｃｕｓ）演算処理を行うことによって、撮像装置２Ａの合焦評価を決定することで撮像装置２Ａの自動焦点の調整を行う。
なお、撮像装置２Ａの自動焦点の調整方法は、撮像素子で位相差信号を取得するものや、専用のＡＦ光学系等を搭載するタイプの方法であっても構わない。
【００６９】
画像圧縮展開部４９は、バス５９を介してＳＤＲＡＭ５６から画像データを取得し、取得した画像データに対して所定の形式に従って圧縮し、この圧縮した画像データをＳＤＲＡＭ５６に出力する。
ここで、静止画の圧縮方式は、ＪＰＥＧ（Ｊｏｉｎｔ  Ｐｈｏｔｏｇｒａｐｈｉｃ  Ｅｘｐｅｒｔｓ  Ｇｒｏｕｐ）方式、ＴＩＦＦ（Ｔａｇｇｅｄ  Ｉｍａｇｅ  Ｆｉｌｅ  Ｆｏｒｍａｔ）方式等である。また、動画の圧縮方式は、ＭｏｔｉｏｎＪＰＥＧ方式、及びＭＰ４（Ｈ．２６４）方式等である。
また、画像圧縮展開部４９は、バス５９及びメモリＩ／Ｆ５５を介して記録媒体５４に記録された画像データ（圧縮画像データ）を取得し、取得した画像データを展開（伸長）してＳＤＲＡＭ５６に出力する。
【００７０】
位置取得部５０は、地上の物体の位置を測定する測定手段であるＧＰＳ（Ｇｌｏｂａｌ  Ｐｏｓｉｔｉｏｎｉｎｇ  Ｓｙｓｔｅｍ）を構成する複数のＧＰＳ衛星から送信されてくる衛星の軌道情報を受信し、この受信した軌道情報に基づいて、撮像装置２Ａの位置情報（経度や緯度に関する情報）を取得する。そして、位置取得部５０は、撮像装置２Ａの位置情報を第１制御部２７Ａに出力する。
方位取得部５１は、レンズ部５の光軸Ｌ（図８）が略水平になる場合において、レンズ部５の光軸Ｌが視野領域を向いた方向を基準方位としたときの撮像装置２Ａの方位を方位情報として取得する。
具体的に、方位取得部５１は、磁気方位センサ等を用いて構成され、地磁気の垂直方向と水平方向の成分を検出し、北を基準とする基準方位と撮像装置２Ａの光軸Ｌとがなす角度を方位角として検出することによって、撮像装置２Ａの方位情報を取得する。
【００７１】
本実施の形態２に係る第１入力部２３Ａは、ユーザ操作を受け付け、バス５９を介して、当該ユーザ操作に応じた指示信号を第１制御部２７Ａに出力する。
この第１入力部２３Ａは、図７または図８に示すように、撮像装置２Ａの電源状態をオン状態またはオフ状態に切り替える電源スイッチ２３１と、静止画レリーズ信号を出力して静止画撮影の指示を与えるレリーズスイッチ２３２と、撮像装置２Ａのモード（撮影モード（静止画撮影モード及び動画撮影モード）や再生モード等）を切り替えるモード切替スイッチ２３３と、撮像装置２Ａの各種設定を切り替える操作スイッチ２３４と、撮像装置２Ａの各種設定を第１表示部２２Ａに表示させるメニュースイッチ２３５と、記録媒体５４に記録された画像データに対応する画像を第１表示部２２Ａに表示させる再生スイッチ２３６と、動画レリーズ信号を出力して動画撮影の指示を与える動画スイッチ２３７等を備える。
【００７２】
レリーズスイッチ２３２は、外部からの押圧により進退可能であり、半押しされた場合にファーストレリーズ信号を第１制御部２７Ａに出力して撮影準備動作を指示する一方、全押しされた場合にセカンドレリーズ信号を第１制御部２７Ａに出力して静止画撮影を指示する。
操作スイッチ２３４は、メニュー画面等における選択設定を行う上下左右の各方向スイッチ２３４ａ〜２３４ｄと、メニュー画面等における各方向スイッチ２３４ａ〜２３４ｄによる操作を決定する決定スイッチ２３４ｅ（ＯＫスイッチ）とを備える（図７）。なお、操作スイッチ２３４は、ダイヤルスイッチ等を用いて構成してもよい。
本実施の形態２では、撮像装置２Ａは、メニュー画面上で、当該撮像装置２Ａのユーザによる操作スイッチ２３４への操作により、上述した実施の形態１と同様に、自動撮影モードまたは手動撮影モードに設定される。また、このような自動撮影モードまたは手動撮影モードのいずれのモードに設定されているかを示す設定情報は、ＳＤＲＡＭ５６に記憶される。
【００７３】
表示駆動部５２は、第１制御部２７Ａによる制御の下、バス５９を介してＳＤＲＡＭ５６に記憶された画像データ（ＲＡＷデータに対して基本画像処理や特殊画像処理が施された画像データ）、または記録媒体５４に記録された画像データを取得し、取得した画像データに対応する画像を第１表示部２２Ａに表示させる。
ここで、画像の表示には、ＲＡＷデータに対して基本画像処理や特殊画像処理が施された画像データに対応するライブビュー画像を表示するライブビュー表示、撮影直後の画像データに対応する画像を所定時間だけ表示するレックビュー表示、記録媒体５４に記録された画像データを再生する再生表示等が含まれる。
また、本実施の形態２に係る第１表示部２２Ａは、撮像装置２Ａの操作情報及び操作に関する情報を適宜表示する。
【００７４】
本実施の形態２に係る第１通信部２４Ａは、第１制御部２７Ａによる制御の下、撮像装置２Ａのユーザにより例えばメニュー画面上で設定された通信先の通信機器（本実施の形態２では通信機器３（図１参照））との間でライブビュー画像データや通信に必要な信号を含む各種データの無線通信を所定のプロトコルに従って行う。
本実施の形態２において、ライブビュー画像データは、ＳＤＲＡＭ５６に記憶されライブビュー表示に用いられる画像データ（ＲＡＷデータに対して基本画像処理や特殊画像処理が施された画像データ）である。
【００７５】
タッチパネル５３は、図７に示すように、第１表示部２２Ａの表示画面上に設けられ、外部からの物体のタッチを検出し、検出したタッチ位置に応じた位置信号を出力する。
記録媒体５４は、本発明に係る記録部としての機能を有する。
具体的に、記録媒体５４は、撮像装置２Ａの外部から装着されるメモリカード等を用いて構成され、メモリＩ／Ｆ５５を介して撮像装置２Ａに着脱自在に装着される。
この記録媒体５４には、その種類に応じた図示しない読み書き装置によって画像処理部４６や画像圧縮展開部４９が処理を施した画像データが書き込まれ、または読み書き装置によって記録媒体５４に記録された画像データが読み出される。また、記録媒体５４は、第１制御部２７Ａによる制御の下、メモリＩ／Ｆ５５及びバス５９を介してプログラム及び各種情報それぞれをＦｌａｓｈメモリ５７に出力してもよい。
【００７６】
ＳＤＲＡＭ５６は、揮発性メモリを用いて構成され、バス５９を介してＡ／Ｄ変換部４５から入力される画像データ（ＲＡＷデータ）、画像処理部４６にてＲＡＷデータに対して基本画像処理や特殊画像処理が施された画像データ、通信機器３から第１通信部２４Ａを介して受信した記録予約情報、自動撮影モードまたは手動撮影モードに関する設定情報、及び撮像装置２Ａの処理中の情報を一時的に記憶する。
Ｆｌａｓｈメモリ５７は、不揮発性メモリを用いて構成される。
このＦｌａｓｈメモリ５７は、撮像装置２Ａを動作させるための各種プログラム（撮像プログラムを含む）、プログラムの実行中に使用される各種データ、及び画像処理部４６による画像処理の動作に必要な各種パラメータ等を記録する。
【００７７】
本体通信部５８は、本体部４に装着されたレンズ部５との通信を行うための通信インターフェースである。
バス５９は、撮像装置２Ａの各構成部位を接続する伝送路等を用いて構成され、撮像装置２Ａの内部で発生した各種データを撮像装置２Ａの各構成部位に転送する。
【００７８】
本実施の形態２に係る第１制御部２７Ａは、バス５９を介して、第１入力部２３Ａからの指示信号、タッチパネル５３からの位置信号、または、第１通信部２４Ａが受信した記録予定情報等に応じて撮像装置２Ａを構成する各部に対応する指示やデータの転送等を行って撮像装置２Ａの動作を統括的に制御する。
例えば、第１制御部２７Ａは、セカンドレリーズ信号を入力した場合や、撮像装置２Ａが自動撮影モードに設定され、ＳＤＲＡＭ５６に記憶された最新のライブビュー画像データに指定撮影対象が含まれている場合に、撮像装置２Ａにおける撮影動作を開始する制御を行う。
ここで、撮像装置２Ａにおける撮影動作とは、シャッタ駆動部４１及び撮像素子駆動部４３の駆動によって撮像素子４２が出力した画像データに対し、信号処理部４４、Ａ／Ｄ変換部４５、及び画像処理部４６が所定の処理を施す動作をいう。このように処理が施された画像データは、第１制御部２７Ａによる制御の下、画像圧縮展開部４９で圧縮され、バス５９及びメモリＩ／Ｆ５５を介して記録媒体５４に記録される。
【００７９】
この第１制御部２７Ａは、図８に示すように、上述した実施の形態１で説明した第１制御部２７の各構成２７１〜２７５にそれぞれ対応する第１通信制御部２７１Ａ、第１表示制御部２７２Ａ、特定情報生成部２７３Ａ、判定部２７４Ａ、及び撮像制御部２７５Ａを備える。
【００８０】
以上の構成を有する本体部４に対して、音声入出力機能、フラッシュ機能、及び着脱自在な電子ビューファインダ（ＥＶＦ）等を具備させてもよい。
【００８１】
〔レンズ部の構成〕
レンズ部５は、図８に示すように、光学系６０と、ズームレンズ駆動部６１と、ズームレンズ位置検出部６２と、フォーカスレンズ駆動部６３と、フォーカスレンズ位置検出部６４と、絞り６５と、絞り駆動部６６と、絞り値検出部６７と、レンズ操作部６８と、レンズ記録部６９と、レンズ通信部７０と、レンズ制御部７１とを備える。
【００８２】
光学系６０は、所定の視野領域から光を集光し、この集光した光を撮像素子４２の撮像面に結像する。この光学系６０は、図８に示すように、ズームレンズ６０１と、フォーカスレンズ６０２とを備える。
ズームレンズ６０１は、一または複数のレンズを用いて構成され、光軸Ｌ（図８）に沿って移動することにより、光学系６０のズーム倍率を変更する。
フォーカスレンズ６０２は、一または複数のレンズを用いて構成され、光軸Ｌに沿って移動することにより、光学系６０のピント位置及び焦点距離を変更する。
【００８３】
ズームレンズ駆動部６１は、ステッピングモータやＤＣモータ等を用いて構成され、レンズ制御部７１による制御の下、ズームレンズ６０１を光軸Ｌに沿って移動させる。
ズームレンズ位置検出部６２は、フォトインタラプタ等を用いて構成され、ズームレンズ駆動部６１にて駆動されたズームレンズ６０１の位置を検出する。
具体的には、ズームレンズ位置検出部６２は、ズームレンズ駆動部６１に含まれる駆動用モータの回転量をパルス数に変換し、変換したパルス数に基づいて、予め定められた特定の基準位置からのズームレンズ６０１の光軸Ｌ上における位置を検出する。
【００８４】
フォーカスレンズ駆動部６３は、ステッピングモータやＤＣモータ等を用いて構成され、レンズ制御部７１による制御の下、フォーカスレンズ６０２を光軸Ｌに沿って移動させる。
フォーカスレンズ位置検出部６４は、フォトインタラプタ等を用いて構成され、ズームレンズ位置検出部６２と同様の方法により、フォーカスレンズ駆動部６３にて駆動されたフォーカスレンズ６０２の光軸Ｌ上における位置を検出する。
【００８５】
絞り６５は、光学系６０が集光した光の入射量を制限することで露出の調整を行う。
絞り駆動部６６は、ステッピングモータ等を用いて構成され、レンズ制御部７１による制御の下、絞り６５を駆動することで撮像素子４２に入射する光の光量を調整する。
絞り値検出部６７は、絞り駆動部６６にて駆動された絞り６５の状態を検出することで絞り６５の絞り値を検出する。この絞り値検出部６７は、リニアエンコーダや可変抵抗素子等のポテンションメータ及びＡ／Ｄ変換回路等を用いて構成される。
【００８６】
レンズ操作部６８は、図７または図８に示すように、レンズ部５のレンズ鏡筒の周囲に設けられる操作リング等であり、光学系６０内のズームレンズ６０１やフォーカスレンズ６０２の動作または撮像装置２Ａの動作を指示するユーザ操作を受け付ける。なお、レンズ操作部６８は、プッシュ式のスイッチ等であってもよい。
レンズ記録部６９は、光学系６０及び絞り６５の位置や動きを決定するための制御用プログラム、光学系６０の倍率、焦点距離、画角、収差、及びＦ値（明るさ）等を記録する。
レンズ通信部７０は、レンズ部５が本体部４に装着されたときに、本体部４の本体通信部５８と通信を行うための通信インターフェースである。
【００８７】
レンズ制御部７１は、ＣＰＵ等を用いて構成され、本体通信部５８及びレンズ通信部７０を介して入力される第１制御部２７Ａからの指示信号や駆動信号に応じてレンズ部５の動作を制御する。
また、レンズ制御部７１は、本体通信部５８及びレンズ通信部７０を介してズームレンズ位置検出部６２が検出したズームレンズ６０１の位置、フォーカスレンズ位置検出部６４が検出したフォーカスレンズ６０２の位置、及び絞り値検出部６７が検出した絞り６５の絞り値を第１制御部２７Ａに出力する。
【００８８】
〔撮像システムの動作〕
次に、本実施の形態２に係る撮像システム１Ａの動作について説明する。
ここで、本実施の形態２に係る通信機器３の動作は、上述した実施の形態１で説明した通信機器３の動作（図３）と同様の動作である。このため、以下では、撮像装置２Ａの動作（本発明に係る撮像方法）のみを説明する。
【００８９】
〔撮像装置の動作〕
図９は、本実施の形態２に係る撮像装置２Ａの動作を示すフローチャートである。
なお、図９では、説明の便宜上、撮像装置２Ａのユーザにより例えばメニュー画面上で撮像装置２Ａが通信モード（通信機器３との間で通信を行うモード）に設定されている場合での撮像装置２Ａの動作を図示している。以下の説明では、撮像装置２Ａが通信モードに設定されているものとして説明する。
図１０は、撮像システム１Ａの動作時（自動撮影モード時）に通信機器３のユーザが行う操作指示、並びに、撮像装置２Ａ及び通信機器３に表示される画像の一例を示す図である。図１１は、撮像システム１Ａの動作時（手動撮影モード時）に通信機器３のユーザが行う操作指示、並びに、撮像装置２Ａ及び通信機器３に表示される画像の一例を示す図である。
なお、図１０及び図１１では、通信機器３のユーザが行う操作指示を上述した実施の形態１で説明した操作指示（図５（ｆ））と同一のものとしている。また、図１０及び図１１では、撮像装置２Ａのユーザが行う撮像装置２Ａの画角を変更する操作も上述した実施の形態１で説明した操作（図５（ａ）〜図５（ｄ））と同一のものとしている。このため、図１０（ａ）〜図１０（ｊ）及び図１１（ａ）〜図１１（ｊ）で示すライブビュー画像Ｗ１００〜Ｗ１０３、Ｗ２００〜Ｗ２０３は、図５（ａ）〜図５（ｉ）で示したライブビュー画像Ｗ１００〜Ｗ１０３，Ｗ２００〜Ｗ２０３とそれぞれ同一の画像である。
【００９０】
撮像装置２Ａのユーザによる電源スイッチ２３１の操作によって撮像装置２Ａの電源がオンになる（ステップＳ３０１：Ｙｅｓ）と、第１制御部２７Ａは、撮像装置２Ａのユーザによるモード切替スイッチ２３３の操作によって撮像装置２Ａが撮影モードに設定されているか否かを判断する（ステップＳ３０２）。
【００９１】
撮像装置２Ａが撮影モードに設定されていると判断した場合（ステップＳ３０２：Ｙｅｓ）には、第１制御部２７Ａは、撮像素子４２による撮像を開始する（ステップＳ３０３：撮像ステップ）。
具体的に、第１制御部２７Ａは、撮像素子駆動部４３を駆動することによって、電子シャッタによる撮影を行う。また、画像処理部４６は、電子シャッタによる撮影によって撮像素子４２が生成し、ＳＤＲＡＭ５６に記憶された画像データに対して基本画像処理や特殊画像処理を施す。
【００９２】
続いて、第１表示制御部２７２Ａは、第１表示部２２Ａにライブビュー表示を開始させる（ステップＳ３０４）。
具体的に、第１表示制御部２７２Ａは、画像処理部４６にて基本画像処理や特殊画像処理が施され、ＳＤＲＡＭ５６に記憶された最新のライブビュー画像データに対応するライブビュー画像を順次、第１表示部２２Ａに表示させる。
【００９３】
続いて、第１通信制御部２７１Ａは、第１通信部２４Ａを介して、ＳＤＲＡＭ５６に記憶された最新のライブビュー画像データ（ステップＳ３０４にて第１表示部２２Ａに表示されているライブビュー画像と同一の画像データ）を順次、通信機器３に送信する（ステップＳ３０５：送信ステップ）。
なお、図９では、説明の便宜上、ステップＳ３０５がステップＳ３０４の後に実行される順序で図示しているが、実際にはステップＳ３０４，Ｓ３０５は略同時に実行されるものである。
【００９４】
続いて、第１通信制御部２７１Ａは、上述した実施の形態１で説明したステップＳ１０５と同様に、記録予約情報を受信したか否かを判断する（ステップＳ３０６）。
記録予約情報を受信したと判断された場合（ステップＳ３０６：Ｙｅｓ）には、第１制御部２７Ａは、当該記録予約情報をＳＤＲＡＭ５６に記憶する。そして、第１表示制御部２７２Ａは、ＳＤＲＡＭ５６に記憶された最新のライブビュー画像データに対応するライブビュー画像に対して記録予約情報を受信した旨の情報を重畳した重畳画像を一定期間、第１表示部２２Ａに表示させる（ステップＳ３０７）。
例えば、上述した実施の形態１で説明した記録予約情報を受信した場合（ステップＳ３０６：Ｙｅｓ）には、ステップＳ３０７において、第１表示制御部２７２Ａは、図１０（ｂ）または図１１（ｂ）に示すように、最新のライブビュー画像Ｗ１００に対して、記録予約情報を受信した旨を示す情報Ｒを重畳した重畳画像Ｓ２を一定期間、第１表示部２２Ａに表示させる。
【００９５】
また、特定情報生成部２７３Ａは、ＳＤＲＡＭ５６に記憶された記録予約情報に基づいて、指定撮影対象を特定するための特定情報を生成し、当該特定情報を記録媒体５４に記録する（ステップＳ３０８：特定情報生成ステップ）。この後、撮像装置２は、ステップＳ３１０に移行する。
なお、図９では、説明の便宜上、ステップＳ３０８がステップＳ３０７の後に実行される順序で図示しているが、実際にはステップＳ３０７，Ｓ３０８は略同時に実行されるものである。
【００９６】
具体的に、ステップＳ３０８において、特定情報生成部２７３Ａは、以下に示すように、特定情報を生成する。
特定情報生成部２７３Ａは、記録予約情報を受信した時点（ステップＳ３０６：Ｙｅｓ）で位置取得部５０及び方位取得部５１によりそれぞれ取得された位置情報及び方位情報（図１０及び図１１の例では、指定撮影対象Ｏの存在する位置等を示す情報）をＳＤＲＡＭ５６に記憶する。そして、特定情報生成部２７３Ａは、上述した実施の形態１と同様に、記録予約情報に含まれるライブビュー画像データ（図１０及び図１１の例では、ライブビュー画像Ｗ２００）を解析して指定撮影対象を特定し、当該特定した指定撮影対象に関する画像データと、ＳＤＲＡＭ５６に記憶した上記位置情報及び方位情報とを特定情報として生成する。
【００９７】
一方、記録予約情報を受信していないと判断された場合（ステップＳ３０６：Ｎｏ）には、第１制御部２７Ａは、上述した実施の形態１で説明したステップＳ１０７と同様に、記録媒体５４に記録された特定情報を参照し、画像データの記録（後述するステップＳ３１４，Ｓ３２０）に用いていない特定情報があるか否かを判断する（ステップＳ３０９）。
画像データの記録に用いていない特定情報がないと判断された場合（ステップＳ３０９：Ｎｏ）には、撮像装置２Ａは、ステップＳ３１８に移行する。
一方、画像データの記録に用いていない特定情報があると判断された場合（ステップＳ３０９：Ｙｅｓ）には、撮像装置２Ａは、ステップＳ３１０に移行する。
【００９８】
ステップＳ３０８の後、または、ステップＳ３０９において画像データの記録に用いていない特定情報があると判断された場合（ステップＳ３０９：Ｙｅｓ）には、第１制御部２７Ａは、上述した実施の形態１で説明したステップＳ１０８と同様に、ＳＤＲＡＭ５６に記憶された設定情報を参照し、撮像装置２Ａが自動撮影モードに設定されているか否かを判断する（ステップＳ３１０）。
撮像装置２Ａが自動撮影モードに設定されていると判断された場合（ステップＳ３１０：Ｙｅｓ）には、判定部２７４Ａは、上述した実施の形態１で説明したステップＳ１０９，Ｓ１１１と同様に、記録媒体５４に記録された特定情報に基づいて、ＳＤＲＡＭ５６に記憶された最新のライブビュー画像データに指定撮影対象が含まれているか否かを判定する（ステップＳ３１１）。
ここで、ステップＳ３１１で用いられる特定情報は、記録媒体５４に記録された最新の特定情報の他、既に記録された特定情報のうち、ステップＳ３０９において画像データの記録に用いられていないと判断された特定情報も含むものである。
【００９９】
最新のライブビュー画像データに指定撮影対象が含まれていないと判定された場合（ステップＳ３１１：Ｎｏ）には、第１表示制御部２７２Ａは、ＳＤＲＡＭ５６に記憶された最新のライブビュー画像データに対応するライブビュー画像に対して、指定撮影対象の存在する方向または位置を示すガイド情報を重畳した重畳画像（図１０に示す例では、ライブビュー画像Ｗ１０１，Ｗ１０２に対して「撮影対象は左側に存在します」のメッセージであるガイド情報Ｇを重畳した重畳画像Ｓ３，Ｓ４）を一定期間、第１表示部２２Ａに表示させる（ステップＳ３１２）。この後、撮像装置２Ａは、ステップＳ３０１に戻る。
【０１００】
具体的に、ステップＳ３１２において、第１表示制御部２７２Ａは、記録媒体５４に記録された特定情報に含まれる位置情報及び方位情報（図１０の例では、指定撮影対象Ｏの存在する位置等を示す情報）を読み出す。また、第１表示制御部２７２Ａは、最新のライブビュー画像データに指定撮影対象が含まれていないと判定された時点（ステップＳ３１１：Ｎｏ）で位置取得部５０及び方位取得部５１にてそれぞれ取得された撮像装置２Ａの位置情報及び方位情報（当該判定された時点（現時点）の撮像装置２Ａの位置や方位を示す情報）を取得する。さらに、第１表示制御部２７２Ａは、特定情報に含まれる位置情報及び方位情報、並びに、現時点で取得された撮像装置２Ａの位置情報及び方位情報に基づいて、現時点の撮像装置２Ａの位置や方位を基準とする指定撮影対象Ｏの存在する方向または位置を把握する。そして、撮像装置２Ａは、図１０（ｃ）及び図１０（ｄ）に示すように、最新のライブビュー画像Ｗ１０１，Ｗ１０２に対して、指定撮影対象Ｏの存在する方向または位置を示すガイド情報Ｇを重畳した重畳画像Ｓ３，Ｓ４をそれぞれ一定期間、表示する。
【０１０１】
一方、最新のライブビュー画像データ（図１０の例では、ライブビュー画像Ｗ１０３）に指定撮影対象が含まれていると判定された場合（ステップＳ３１１：Ｙｅｓ）には、撮像制御部２７５Ａは、撮影を行う（ステップＳ３１３）。
具体的に、ステップＳ３１３において、撮像制御部２７５Ａは、シャッタ駆動部４１及び撮像素子駆動部４３を駆動することによって、メカシャッタによる撮影を行う。また、画像処理部４６は、メカシャッタによる撮影によって撮像素子４２が生成し、ＳＤＲＡＭ５６に記憶された画像データに対して基本画像処理や特殊画像処理を施す。
続いて、撮像制御部２７５Ａは、ステップＳ３１３の撮影により生成された画像データ（メカシャッタによる撮影によって生成され、基本画像処理や特殊画像処理が施された画像データ）を画像圧縮展開部４９に圧縮させ、圧縮した画像データを記録媒体５４に記録する（ステップＳ３１４）。この後、撮像装置２Ａは、ステップＳ３０１に戻る。
【０１０２】
ステップＳ３１０において、撮像装置２Ａが手動撮影モードに設定されていると判断された場合（ステップＳ３１０：Ｎｏ）には、判定部２７４Ａは、ステップＳ３１１と同様に、記録媒体５４に記録された特定情報に基づいて、ＳＤＲＡＭ５６に記憶された最新のライブビュー画像データに指定撮影対象が含まれているか否かを判定する（ステップＳ３１５）。
最新のライブビュー画像データに指定撮影対象が含まれていないと判定された場合（ステップＳ３１５：Ｎｏ）には、第１表示制御部２７２Ａは、ステップＳ３１２と同様に、ＳＤＲＡＭ５６に記憶された最新のライブビュー画像データに対応するライブビュー画像に対して、指定撮影対象の存在する方向または位置を示すガイド情報を重畳した重畳画像（図１１に示す例では、ライブビュー画像Ｗ１０１，Ｗ１０２にガイド情報Ｇを重畳した重畳画像Ｓ３，Ｓ４）を一定期間、第１表示部２２Ａに表示させる（ステップＳ３１６）。この後、撮像装置２Ａは、ステップＳ３１８に移行する。
【０１０３】
一方、最新のライブビュー画像データに指定撮影対象が含まれていると判定された場合（ステップＳ３１５：Ｙｅｓ）には、第１表示制御部２７２Ａは、上述した実施の形態１で説明したステップＳ１１２と同様に、当該最新のライブビュー画像データに対応するライブビュー画像に対して当該指定撮影対象を識別するための識別情報を重畳した重畳画像（図１１の例では、ライブビュー画像Ｗ１０３に識別情報Ｉを重畳した重畳画像Ｓ１）を一定期間、第１表示部２２Ａに表示させる（ステップＳ３１７）。この後、撮像装置２Ａは、ステップＳ３１８に移行する。
【０１０４】
ステップＳ３１６，Ｓ３１７の後、または、ステップＳ３０９において画像データの記録に用いていない特定情報がないと判断された場合（ステップＳ３０９：Ｎｏ）には、第１制御部２７Ａは、撮像装置２Ａのユーザによる撮影操作があったか否か（レリーズスイッチ２３２からのセカンドレリーズ信号の入力があったか否か）を判断する（ステップＳ３１８）。
撮影操作がないと判断された場合（ステップＳ３１８：Ｎｏ）には、撮像装置２Ａは、ステップＳ３０１に戻る。
一方、撮影操作があったと判断された場合（ステップＳ３１８：Ｙｅｓ）には、撮像制御部２７５Ａは、ステップＳ３１３，Ｓ３１４と同様に、撮影を行う（ステップＳ３１９）とともに、画像データを記録媒体５４に記録する（ステップＳ３２０）。この後、撮像装置２Ａは、ステップＳ３０１に戻る。
【０１０５】
ステップＳ３０２において、第１制御部２７Ａは、撮像装置２Ａが撮影モードに設定されていないと判断した場合（ステップＳ３０２：Ｎｏ）には、撮像装置２Ａのユーザによるモード切替スイッチ２３３の操作によって撮像装置２Ａが再生モードに設定されているか否かを判断する（ステップＳ３２１）。
撮像装置２Ａが再生モードに設定されていないと判断された場合（ステップＳ３２１：Ｎｏ）には、撮像装置２Ａは、ステップＳ３０１に戻る。
一方、撮像装置２Ａが再生モードに設定されていると判断された場合（ステップＳ３２１：Ｙｅｓ）には、第１表示制御部２７２Ａは、記録媒体５４に記録された画像データに対応する画像を第１表示部２２Ａに表示させる（ステップＳ３２２）。
【０１０６】
続いて、第１表示制御部２７２Ａは、撮像装置２Ａのユーザによる第１入力部２３Ａやタッチパネル５３への操作により、画像の変更を指示する指示信号が入力されたか否かを判断する（ステップＳ３２３）。
第１表示制御部２７２Ａは、画像の変更を指示する指示信号が入力されたと判断した場合（ステップＳ３２３：Ｙｅｓ）には、第１表示部２２Ａに表示させる画像を変更する（ステップＳ３２４）。この後、撮像装置２Ａは、ステップＳ３２２に戻る。
一方、画像の変更を指示する指示信号が入力されていないと判断された場合（ステップＳ３２３：Ｎｏ）には、撮像装置２Ａは、ステップＳ３０１に戻る。
【０１０７】
以上説明した実施の形態２によれば、上述した実施の形態１と同様の効果の他、以下の効果がある。
本実施の形態２に係る撮像装置２Ａは、位置取得部５０及び方位取得部５１を備える。そして、撮像装置２Ａは、上述した実施の形態１で説明した指定撮影対象に関する画像データ（被写体像情報）と、記録予約情報を受信した時点で位置取得部５０及び方位取得部５１にてそれぞれ取得された位置情報及び方位情報（指定撮影対象の存在する位置等を示す情報）とを特定情報として生成する。勿論、特定情報の被写体像情報は、被写体像の全ての情報を持つ必要はなく、画像の類似度を測定するときなどに使う、陰影の変化を座標で示すような、いわゆる特徴点で代用したり、画像から得られた対象物画像分析結果でもよい。分析結果とは、人物が対象物であれば、個人の名前や性別、年齢をテキストや記号等で情報化したものでもよく、服装等を色の情報で記憶したものでもよい。蝶や花のように鮮やかな色彩で識別しやすいものは色の情報でも代用可能で、大きさ情報、形状情報、動きの特徴、関節の配置等を情報化したものでもよい。
このため、撮像装置２Ａは、最新のライブビュー画像データに指定撮影対象が含まれていないと判定した場合に、指定撮影対象の存在する方向や位置を示すガイド情報（図１０及び図１１の例では、ガイド情報Ｇ）を表示し、撮像装置２Ａのユーザに場所の移動や画角の変更を促すことができる。
【０１０８】
また、本実施の形態２に係る撮像装置２Ａは、記録予約情報を受信した場合に、その旨を示す情報（図１０及び図１１の例では、情報Ｒ）を表示する。
このため、撮像装置２Ａのユーザは、周囲環境を考慮して撮影を控える必要がある状況等において、当該情報を確認することで、撮像装置２Ａを自動撮影モードから手動撮影モードに設定を変更したり、電源をオフにしたりし、自動撮影モードで勝手に撮影を行ってしまうことを防止することができる。
【０１０９】
（実施の形態２の変形例）
上述した実施の形態２では、本体部４とレンズ部５とが別体で構成されていたが、これに限られず、本体部４とレンズ部５とを一体的に形成しても構わない。
【０１１０】
上述した実施の形態２では、本発明に係るガイド情報として、指定撮影対象の存在する方向を示すガイド情報Ｇを例示したが、これに限られず、例えば、指定撮影対象の存在する位置（場所）を示すガイド情報（例えば、「指定撮影対象は、○○の場所に存在する」等のメッセージ）を採用しても構わない。
【０１１１】
上述した実施の形態２では、判定部２７４Ａは、パターンマッチング等により、ライブビュー画像データに指定撮影対象が含まれているか否かを判定していたが、これに限られない。例えば、特定情報に含まれる位置情報及び方位情報（指定撮影対象の存在する位置等を示す情報）と、ライブビュー画像データに指定撮影対象が含まれているか否かを判定する時点（現時点）で位置取得部５０及び方位取得部５１にてそれぞれ取得された位置情報及び方位情報（現時点の撮像装置２Ａの位置や方位を示す情報）とに基づいて、指定撮影対象の存在する位置等に現時点の撮像装置２Ａの位置や方位が一致した場合に、ライブビュー画像データに指定撮影対象が含まれていると判定しても構わない。
【０１１２】
（実施の形態３）
次に、本発明の実施の形態３について説明する。
以下の説明では、上述した実施の形態１と同様の構成及びステップには同一符号を付し、その詳細な説明は省略または簡略化する。
上述した実施の形態１では、撮像システム１は、通信機器３にてライブビュー表示される画像（現在、撮像装置２にて表示されている画像と同一の画像）を確認させながら通信機器３のユーザに指定撮影対象を指し示す操作指示を実行させていた。
これに対して本実施の形態３に係る撮像システムは、撮像装置にて予め生成された動画ファイルを通信機器に送信し、通信機器にて再生表示される動画ファイル中の画像を通信機器のユーザに確認させながら指定撮影対象を指し示す操作指示を実行させる。
【０１１３】
〔撮像システムの構成〕
図１２は、本発明の実施の形態３に係る撮像システムの構成を示すブロック図である。
撮像システム１Ｂを構成する撮像装置２Ｂは、図１２に示すように、上述した実施の形態１で説明した撮像装置２（図１）に対して、第１制御部２７Ｂに動画ファイル生成部２７６が追加されているとともに、第１記録部２６Ｂに動画ファイル記録部２６４が追加されている。
動画ファイル生成部２７６は、撮像部２１にて生成された画像データを時系列的に並べた動画ファイルを生成する。
動画ファイル記録部２６４は、動画ファイル生成部２７６にて生成された動画ファイルを記録する。
なお、撮像システム１Ｂを構成する通信機器３は、図１２に示すように、上述した実施の形態１で説明した通信機器３（図１）と同様の構成である。
【０１１４】
〔撮像システムの動作〕
次に、本実施の形態３に係る撮像システム１Ｂの動作について説明する。
以下では、撮像システム１Ｂの動作として、撮像装置２Ｂの動作（本発明に係る撮像方法）、及び通信機器３の動作を順に説明する。
【０１１５】
〔撮像装置の動作〕
図１３は、本実施の形態３に係る撮像装置２Ｂの動作を示すフローチャートである。
本実施の形態３に係る撮像装置２Ｂの動作は、上述した実施の形態１で説明した撮像装置２の動作（図２）に対して、図１３に示すように、ステップＳ１１５〜Ｓ１１９を付加した点が異なる。
このため、以下では、上記異なる点のみを説明する。
ステップＳ１０４の後、第１通信制御部２７１は、通信機器３から第１通信部２４を介して動画ファイル送信要求を受け付けたか否かを判断する（ステップＳ１１５）。
動画ファイル送信要求を受け付けていないと判断された場合（ステップＳ１１５：Ｎｏ）には、撮像装置２Ｂは、ステップＳ１１７に移行する。
【０１１６】
一方、動画ファイル送信要求を受け付けたと判断された場合（ステップＳ１１５：Ｙｅｓ）には、動画ファイル生成部２７６は、第１メモリ部２５に記憶された最新のライブビュー画像データを順次、動画ファイル記録部２６４に作成された動画ファイルに動画として記録させる（ステップＳ１１６）。
また、ステップＳ１１７において、撮像装置２Ｂは、動画ファイルを生成中であるか否かを判断し、「Ｙｅｓ」と判断した場合には動画ファイルの生成（ステップＳ１１６）を継続し、「Ｎｏ」と判断した場合にはステップＳ１０７に移行する。
ステップＳ１１６の後、動画ファイル生成部２７６は、動画ファイルの生成が完了したか否か（一定のフレーム数の画像データを動画として記録したか否か）を判断する（ステップＳ１１８）。
【０１１７】
動画ファイルの生成が完了したと判断された場合（ステップＳ１１８：Ｙｅｓ）には、第１通信制御部２７１は、第１通信部２４を介して、動画ファイル記録部２６４に記録された動画ファイルを通信機器３に送信する（ステップＳ１１９）。
一方、動画ファイルの生成が完了していないと判断された場合（ステップＳ１１８：Ｎｏ）には、撮像装置２Ｂは、ステップＳ１０１に戻る。
【０１１８】
〔通信機器の動作〕
図１４は、本実施の形態４に係る通信機器３の動作を示すフローチャートである。
本実施の形態３に係る通信機器３の動作は、上述した実施の形態１で説明した通信機器３の動作（図３）に対して、図１４に示すように、ステップＳ２０７〜Ｓ２１２を付加した点が異なる。
このため、以下では、上記異なる点のみを説明する。
通信機器３の電源がオンの状態（ステップＳ２０１：Ｙｅｓ）で、第２制御部３６は、動画ファイルの再生中（後述するステップＳ２１１の継続中）であるか否かを判断する（ステップＳ２０７）。
動画ファイルの再生中であると判断された場合（ステップＳ２０７：Ｙｅｓ）には、通信機器３は、ステップＳ２１１に移行する。
一方、動画ファイルの再生中でないと判断された場合（ステップＳ２０７：Ｎｏ）には、通信機器３は、ステップＳ２０２に移行する。
【０１１９】
ステップＳ２０３においてライブビュー画像を表示している状態で、第２制御部３６は、第２入力部３２からの指示信号、位置信号、あるいは音声データに基づいて、撮像装置２への動画ファイル送信要求の操作指示があったか否かを判断する（ステップＳ２０８）。
動画ファイル送信要求の操作指示がないと判断された場合（ステップＳ２０８：Ｎｏ）には、通信機器３は、ステップＳ２０１に戻る。
一方、動画ファイル送信要求の操作指示があったと判断された場合（ステップＳ２０８：Ｙｅｓ）には、第２通信制御部３６１は、第２通信部３３を介して、撮像装置２に対して動画ファイル送信要求を行う（ステップＳ２０９）。
【０１２０】
続いて、第２通信制御部３６１は、撮像装置２Ｂから第２通信部３３を介して動画ファイルを受信したか否かを判断する（ステップＳ２１０）。
動画ファイルを受信していないと判断された場合（ステップＳ２１０：Ｎｏ）には、通信機器３は、ステップＳ２０１に戻る。
一方、動画ファイルを受信したと判断された場合（ステップＳ２１０：Ｙｅｓ）には、第２制御部３６は、受信した動画ファイルを第２メモリ部３４に記憶する。そして、第２表示制御部３６２は、第２表示部３１に当該動画ファイルの再生表示を行わせる（ステップＳ２１１）。
【０１２１】
続いて、記録予約情報生成部３６３は、第２入力部３２からの指示信号、位置信号、あるいは音声データに基づいて、撮像装置２Ｂに画像データを記録させる操作指示があったか否かを判断する（ステップＳ２１２）。
撮像装置２Ｂに画像データを記録させる操作指示がないと判断された場合（ステップＳ２１２：Ｎｏ）には、通信機器３は、ステップＳ２０１に戻る。
一方、撮像装置２Ｂに画像データを記録させる操作指示があったと判断された場合（ステップＳ２１２：Ｙｅｓ）には、通信機器３は、ステップＳ２０５に移行する。
なお、本実施の形態３に係るステップＳ２０５では、撮像装置２Ｂに画像データを記録させる操作指示（例えば第２入力部（タッチパネル）３２へのタッチ操作）があったと判断された時点（ステップＳ２１２：Ｙｅｓ）で表示されている動画ファイル中のフレーム（画像データ）と通信機器３のユーザによりタッチされた位置（図５（ｆ）参照）に関する情報とを記録予約情報として生成する。
【０１２２】
以上説明した実施の形態３によれば、上述した実施の形態１と同様の効果の他、以下の効果がある。
本実施の形態３に係る撮像システム１Ｂは、撮像装置２Ｂにて予め生成された動画ファイルを通信機器３に送信し、通信機器３にて再生表示される動画ファイル中の画像を確認させながら通信機器３のユーザに指定撮影対象を指し示す操作指示を実行させる。
このため、操作指示を行う対象が動画ファイルであるので、当該動画ファイルを繰り返し再生表示することも可能であり、指定撮影対象を決定することが容易となる。
【０１２３】
（実施の形態３の変形例）
上述した実施の形態３において、撮像装置２Ｂの構成に対して、上述した実施の形態２で説明した位置取得部５０や方位取得部５１を追加しても構わない。このような構成を採用した場合、動画ファイルを生成する際に、１フレーム毎に画像データに対して当該画像データの生成時点で位置取得部５０や方位取得部５１にて取得された位置情報や方位情報を関連付けて動画ファイル記録部２６４に記録しておくことが好ましい。このような情報を記録しておけば、上述した実施の形態２で説明したような指定撮影対象の存在する方向や位置を示すガイド情報を表示することが可能となる。
【０１２４】
（その他の実施の形態）
ここまで、本発明を実施するための形態を説明してきたが、本発明は上述した実施の形態１〜３によってのみ限定されるべきものではない。
上述した実施の形態１〜３では、撮像装置２，２Ａ，２Ｂは、特定情報に基づいて、ライブビュー画像データに指定撮影対象が含まれているか否かを判定し、指定撮影対象が含まれていると判定した場合に、自動撮影や撮影操作を促す表示を行っていたが、これに限られず、例えば、以下の構成を採用しても構わない。
すなわち、撮像装置は、記録部に記録された特定情報（指定撮影対象に関する画像データや、指定撮影対象の存在する位置等を示す情報（位置情報及び方位情報））を表示し、撮像装置のユーザに認識させる。そして、撮像装置のユーザは、当該認識した情報に基づいて、指定撮影対象を探して撮影操作を行う。
【０１２５】
上述した実施の形態１〜３では、指定撮影対象として人物像を例示したが、これに限られず、指定撮影対象には、動物、植物、あるいは山等の風景等も含むものである。
【０１２６】
上述した実施の形態１〜３では、本発明に係る記録予約情報として、操作指示（タッチ操作（図５（ｆ）参照））があった時点で表示しているライブビュー画像に対応するライブビュー画像データとタッチされた位置に関する情報とを含む記録予約情報を例示したが、これに限られない。
例えば、操作指示（タッチ操作に限られず、ボタンやスイッチ等の操作、あるいは、「ここで撮影」等の言葉を発する操作等も含む）があった時点で表示しているライブビュー画像に対応するライブビュー画像データのみを記録予約情報としても構わない。この際、撮像装置は、記録予約情報（ライブビュー画像データ）を受信した場合に、当該ライブビュー画像データを解析し、ライブビュー画像に含まれる全ての構造物（人物像、山等の背景等）を特定し、当該特定した全ての構造物に関する各画像データを特定情報として生成する。
【０１２７】
上述した実施の形態１〜３では、本発明に係る識別情報として、指定撮影対象を指し示す吹き出し中にメッセージを記載した識別情報Ｉを例示したが、これに限られない。指定撮影対象を識別することができれば、例えば、指定撮影対象に相当する画像の輪郭部分に太枠等の識別情報を付加（重畳）するように構成しても構わない。
【０１２８】
上述した実施の形態１〜３では、本発明に係る報知部として、第１表示部２２，２２Ａ及び第１表示制御部２７２，２７２Ａを採用したが、これに限られず、スピーカ等を別途設け、当該スピーカから所定の情報を音声で報知する構成を採用しても構わない。
【０１２９】
また、処理フローは、上述した実施の形態１〜３で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１３０】
１，１Ａ，１Ｂ  撮像システム
２，２Ａ，２Ｂ  撮像装置
３  通信機器
４  本体部
５  レンズ部
２１  撮像部
２２，２２Ａ  第１表示部
２３，２３Ａ  第１入力部
２４，２４Ａ  第１通信部
２５  第１メモリ部
２６，２６Ｂ  第１記録部
２７，２７Ａ，２７Ｂ  第１制御部
３１  第２表示部
３２  第２入力部
３３  第２通信部
３４  第２メモリ部
３５  第２記録部
３６  第２制御部
４０  シャッタ
４１  シャッタ駆動部
４２  撮像素子
４３  撮像素子駆動部
４４  信号処理部
４５  Ａ／Ｄ変換部
４６  画像処理部
４７  ＡＥ処理部
４８  ＡＦ処理部
４９  画像圧縮展開部
５０  位置取得部
５１  方位取得部
５２  表示駆動部
５３  タッチパネル
５４  記録媒体
５５  メモリＩ／Ｆ
５６  ＳＤＲＡＭ
５７  Ｆｌａｓｈメモリ
５８  本体通信部
５９  バス
６０  光学系
６１  ズームレンズ駆動部
６２  ズームレンズ位置検出部
６３  フォーカスレンズ駆動部
６４  フォーカスレンズ位置検出部
６５  絞り
６６  絞り駆動部
６７  絞り値検出部
６８  レンズ操作部
６９  レンズ記録部
７０  レンズ通信部
７１  レンズ制御部
２３１  電源スイッチ
２３２  レリーズスイッチ
２３３  モード切替スイッチ
２３４  操作スイッチ
２３４ａ〜２３４ｄ  方向スイッチ
２３４ｅ  決定スイッチ
２３５  メニュースイッチ
２３６  再生スイッチ
２３７  動画スイッチ
２７１，２７１Ａ  第１通信制御部
２７２，２７２Ａ  第１表示制御部
２７３，２７３Ａ  特定情報生成部
２７４，２７４Ａ  判定部
２７５，２７５Ａ  撮像制御部
２７６  動画ファイル生成部
３６１  第２通信制御部
３６２  第２表示制御部
３６３  記録予約情報生成部
６０１  ズームレンズ
６０２  フォーカスレンズ
Ｇ  ガイド情報
Ｉ  識別情報
Ｏ  指定撮影対象
Ｐ  位置
Ｒ  記録予約情報を受信した旨を示す情報
Ｓ１〜Ｓ４  重畳画像
Ｗ１００〜Ｗ１０３，Ｗ２００〜Ｗ２０３  ライブビュー画像
【図１】
2015052959.tif 000003
【図２】
2015052959.tif 000004
【図３】
2015052959.tif 000005
【図４】
2015052959.tif 000006
【図５】
2015052959.tif 000007
【図６】
2015052959.tif 000008
【図７】
2015052959.tif 000009
【図８】
2015052959.tif 000010
【図９】
2015052959.tif 000011
【図１０】
2015052959.tif 000012
【図１１】
2015052959.tif 000013
【図１２】
2015052959.tif 000014
【図１３】
2015052959.tif 000015
【図１４】
2015052959.tif 000016
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
被写体を撮像する撮像装置において、
前記被写体を撮像して画像データを生成する撮像部と、
外部の通信機器と情報を送受信可能に接続する第１通信部と、
前記第１通信部を介して、前記撮像部にて生成された前記画像データを前記通信機器に送信するとともに、前記通信機器から前記画像データに含まれる被写体像を当該撮像装置に記録させるための記録予約情報を受信する第１通信制御部と、
前記第１通信部を介して受信した前記記録予約情報に基づいて、前記被写体像を特定するための特定情報を生成し、当該特定情報を記録部に記録する特定情報生成部とを備え、
前記記録予約情報は、
前記被写体像を含む画像に関する被写体像情報を含み、
前記特定情報生成部は、
前記被写体像情報を含む前記特定情報を前記記録部に記録する
ことを特徴とする撮像装置。
【請求項２】
前記記録部に記録された前記特定情報に基づいて、前記撮像部にて生成された前記画像データに前記被写体像が含まれているか否かを判定する判定部と、
前記判定部にて前記画像データに前記被写体像が含まれていると判定された場合に、前記画像データに前記被写体像が含まれている旨を報知する報知部とを備える
ことを特徴とする請求項１に記載の撮像装置。
【請求項３】
前記報知部は、
画像を表示する第１表示部と、
前記撮像部にて生成された前記画像データに対応する画像を前記第１表示部に表示させるとともに、前記判定部にて前記画像データに前記被写体像が含まれていると判定された場合に、前記撮像部にて生成された前記画像データに対応する画像に前記被写体像を識別するための識別情報を重畳した重畳画像を前記第１表示部に表示させる第１表示制御部とを備える
ことを特徴とする請求項２に記載の撮像装置。
【請求項４】
前記記録部に記録された前記特定情報に基づいて、前記撮像部にて生成された前記画像データに前記被写体像が含まれているか否かを判定する判定部と、
前記判定部にて前記画像データに前記被写体像が含まれていると判定された場合に、前記画像データを前記記録部に記録する撮像制御部とを備える
ことを特徴とする請求項１に記載の撮像装置。
【請求項５】
当該撮像装置の位置に関する位置情報を取得する位置取得部と、
当該撮像装置にて撮像される方位に関する方位情報を取得する方位取得部とを備え、
前記特定情報生成部は、
前記第１通信部を介して前記記録予約情報を受信した際に前記位置取得部及び前記方位取得部にてそれぞれ取得された前記位置情報及び前記方位情報を含む前記特定情報を前記記録部に記録する
ことを特徴とする請求項１〜４のいずれか一つに記載の撮像装置。
【請求項６】
前記記録部に記録された前記特定情報に基づいて、前記撮像部にて生成された前記画像データに前記被写体像が含まれているか否かを判定する判定部と、
前記判定部にて前記画像データに前記被写体像が含まれていないと判定された場合に、前記記録部に記録された前記特定情報、並びに、当該判定された時点で前記位置取得部及び前記方位取得部にてそれぞれ取得された前記位置情報及び前記方位情報に基づいて、前記被写体像の存在する方向または位置を報知する報知部とを備える
ことを特徴とする請求項５に記載の撮像装置。
【請求項７】
前記報知部は、
画像を表示する第１表示部と、
前記判定部にて前記画像データに前記被写体像が含まれていないと判定された場合に、前記記録部に記録された前記特定情報、並びに、当該判定された時点で前記位置取得部及び前記方位取得部にてそれぞれ取得された前記位置情報及び前記方位情報に基づいて、前記被写体像の存在する方向または位置を示すガイド情報を前記第１表示部に表示させる第１表示制御部とを備える
ことを特徴とする請求項６に記載の撮像装置。
【請求項８】
前記撮像部にて生成された前記画像データを時系列的に並べた動画ファイルを生成する動画ファイル生成部を備え、
前記第１通信制御部は、
前記第１通信部を介して、前記動画ファイル生成部にて生成された前記動画ファイルを前記通信機器に送信するとともに、前記通信機器から前記動画ファイル中の前記画像データに含まれる被写体像を当該撮像装置に記録させるための前記記録予約情報を受信する
ことを特徴とする請求項１〜７のいずれか一つに記載の撮像装置。
【請求項９】
前記第１通信部を介して前記記録予約情報を受信した場合に、前記記録予約情報を受信した旨を報知する報知部を備える
ことを特徴とする請求項１〜８のいずれか一つに記載の撮像装置。
【請求項１０】
請求項１〜９のいずれか一つに記載の撮像装置と、
前記撮像装置との間で情報を送受信可能に接続する通信機器とを備え、
前記通信機器は、
前記撮像装置との間で情報を送受信可能に接続する第２通信部と、
前記第２通信部を介して、前記撮像装置から画像データを受信する第２通信制御部と、
画像を表示する第２表示部と、
前記第２通信部を介して受信した前記画像データに対応する画像を前記第２表示部に表示させる第２表示制御部と、
前記撮像装置への操作指示を受け付ける指示受付部と、
前記指示受付部にて受け付けた操作指示に基づいて、前記画像データに含まれる被写体像を前記撮像装置に記録させるための記録予約情報を生成する記録予約情報生成部とを備え、
前記第２通信制御部は、
前記第２通信部を介して、前記記録予約情報生成部にて生成された前記記録予約情報を前記撮像装置に送信する
ことを特徴とする撮像システム。
【請求項１１】
被写体を撮像する撮像装置が行う撮像方法において、
前記被写体を撮像して画像データを生成する撮像ステップと、
前記撮像ステップにて生成した前記画像データを外部の通信機器に送信する送信ステップと、
前記通信機器から前記画像データに含まれる被写体像を前記撮像装置に記録させるための記録予約情報を受信した場合に、当該記録予約情報に基づいて、前記被写体像を特定するための特定情報を生成し、当該特定情報を記録部に記録する特定情報生成ステップとを含み、
前記記録予約情報は、
前記被写体像を含む画像に関する被写体像情報を含み、
前記特定情報生成ステップは、
前記被写体像情報を含む前記特定情報を前記記録部に記録する
ことを特徴とする撮像方法。
【請求項１２】
請求項１１に記載の撮像方法を撮像装置に実行させる
ことを特徴とする撮像プログラム。
【手続補正２】
【補正対象書類名】明細書
【補正対象項目名】００２９
【補正方法】変更
【補正の内容】
【００２９】
第１記録部２６は、本発明に係る記録部としての機能を有し、図１に示すように、プログラム記録部２６１と、特定情報記録部２６２と、画像データ記録部２６３等を備える。
プログラム記録部２６１は、第１制御部２７が実行する各種プログラム（撮像プログラムを含む）、及びプログラムの実行中に使用される各種データ等を記録する。
特定情報記録部２６２は、第１制御部２７による制御の下、当該第１制御部２７にて生成された特定情報を記録する。
画像データ記録部２６３は、第１制御部２７による制御の下、撮像部２１にて生成された画像データを記録する。
【手続補正３】
【補正対象書類名】明細書
【補正対象項目名】００７８
【補正方法】変更
【補正の内容】
【００７８】
本実施の形態２に係る第１制御部２７Ａは、バス５９を介して、第１入力部２３Ａからの指示信号、タッチパネル５３からの位置信号、または、第１通信部２４Ａが受信した記録予約情報等に応じて撮像装置２Ａを構成する各部に対応する指示やデータの転送等を行って撮像装置２Ａの動作を統括的に制御する。
例えば、第１制御部２７Ａは、セカンドレリーズ信号を入力した場合や、撮像装置２Ａが自動撮影モードに設定され、ＳＤＲＡＭ５６に記憶された最新のライブビュー画像データに指定撮影対象が含まれている場合に、撮像装置２Ａにおける撮影動作を開始する制御を行う。
ここで、撮像装置２Ａにおける撮影動作とは、シャッタ駆動部４１及び撮像素子駆動部４３の駆動によって撮像素子４２が出力した画像データに対し、信号処理部４４、Ａ／Ｄ変換部４５、及び画像処理部４６が所定の処理を施す動作をいう。このように処理が施された画像データは、第１制御部２７Ａによる制御の下、画像圧縮展開部４９で圧縮され、バス５９及びメモリＩ／Ｆ５５を介して記録媒体５４に記録される。
【手続補正４】
【補正対象書類名】明細書
【補正対象項目名】０１１８
【補正方法】変更
【補正の内容】
【０１１８】
〔通信機器の動作〕
図１４は、本実施の形態３に係る通信機器３の動作を示すフローチャートである。
本実施の形態３に係る通信機器３の動作は、上述した実施の形態１で説明した通信機器３の動作（図３）に対して、図１４に示すように、ステップＳ２０７〜Ｓ２１２を付加した点が異なる。
このため、以下では、上記異なる点のみを説明する。
通信機器３の電源がオンの状態（ステップＳ２０１：Ｙｅｓ）で、第２制御部３６は、動画ファイルの再生中（後述するステップＳ２１１の継続中）であるか否かを判断する（ステップＳ２０７）。
動画ファイルの再生中であると判断された場合（ステップＳ２０７：Ｙｅｓ）には、通信機器３は、ステップＳ２１１に移行する。
一方、動画ファイルの再生中でないと判断された場合（ステップＳ２０７：Ｎｏ）には、通信機器３は、ステップＳ２０２に移行する。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
被写体を撮像する撮像装置において、
前記被写体を撮像して画像データを生成する撮像部と、
外部の通信機器と情報を送受信可能に接続する第１通信部と、
前記第１通信部を介して、前記撮像部にて生成された前記画像データを前記通信機器に送信するとともに、前記通信機器のユーザにて指定された被写体像を含む画像に関する被写体像情報を含む記録予約情報を前記通信機器から受信する第１通信制御部と、
当該撮像装置の位置に関する位置情報を取得する位置取得部と、
当該撮像装置にて撮像される方位に関する方位情報を取得する方位取得部と、
前記第１通信部を介して受信した前記記録予約情報に基づいて、前記被写体像情報、並びに、前記第１通信部を介して前記記録予約情報を受信した際に前記位置取得部及び前記方位取得部にてそれぞれ取得された前記位置情報及び前記方位情報を含む特定情報を生成し、当該特定情報を記録部に記録する特定情報生成部と、
前記記録部に記録された前記特定情報、並びに、現時点で前記位置取得部及び前記方位取得部にてそれぞれ取得された前記位置情報及び前記方位情報に基づいて、前記被写体像の存在する方向または位置に合わせたユーザの行為を促すメッセージを報知する報知部とを備える
ことを特徴とする撮像装置。
【請求項２】
前記記録部に記録された前記特定情報に基づいて、前記撮像部にて生成された前記画像データに前記被写体像が含まれているか否かを判定する判定部を備え、
前記報知部は、
前記判定部にて前記画像データに前記被写体像が含まれていると判定された場合に、前記画像データに前記被写体像が含まれている旨を報知する
ことを特徴とする請求項１に記載の撮像装置。
【請求項３】
前記報知部は、
画像を表示する第１表示部と、
前記撮像部にて生成された前記画像データに対応する画像を前記第１表示部に表示させるとともに、前記判定部にて前記画像データに前記被写体像が含まれていると判定された場合に、前記撮像部にて生成された前記画像データに対応する画像に前記被写体像を識別するための識別情報を重畳した重畳画像を前記第１表示部に表示させる第１表示制御部とを備える
ことを特徴とする請求項２に記載の撮像装置。
【請求項４】
前記記録部に記録された前記特定情報に基づいて、前記撮像部にて生成された前記画像データに前記被写体像が含まれているか否かを判定する判定部と、
前記判定部にて前記画像データに前記被写体像が含まれていると判定された場合に、前記画像データを前記記録部に記録する撮像制御部とを備える
ことを特徴とする請求項１に記載の撮像装置。
【請求項５】
前記記録部に記録された前記特定情報に基づいて、前記撮像部にて生成された前記画像データに前記被写体像が含まれているか否かを判定する判定部を備え、
前記報知部は、
前記判定部にて前記画像データに前記被写体像が含まれていないと判定された場合に、前記メッセージを報知する
ことを特徴とする請求項１に記載の撮像装置。
【請求項６】
前記報知部は、
画像を表示する第１表示部と、
前記判定部にて前記画像データに前記被写体像が含まれていないと判定された場合に、前記メッセージを前記第１表示部に表示させる第１表示制御部とを備える
ことを特徴とする請求項５に記載の撮像装置。
【請求項７】
前記撮像部にて生成された前記画像データを時系列的に並べた動画ファイルを生成する動画ファイル生成部を備え、
前記第１通信制御部は、
前記第１通信部を介して、前記動画ファイル生成部にて生成された前記動画ファイルを前記通信機器に送信するとともに、前記通信機器から前記動画ファイル中の前記画像データに含まれる被写体像を当該撮像装置に記録させるための前記記録予約情報を受信する
ことを特徴とする請求項１〜６のいずれか一つに記載の撮像装置。
【請求項８】
前記報知部は、
前記第１通信部を介して前記記録予約情報を受信した場合に、前記記録予約情報を受信した旨を報知する
ことを特徴とする請求項１〜７のいずれか一つに記載の撮像装置。
【請求項９】
請求項１〜８のいずれか一つに記載の撮像装置と、
前記撮像装置との間で情報を送受信可能に接続する通信機器とを備え、
前記通信機器は、
前記撮像装置との間で情報を送受信可能に接続する第２通信部と、
前記第２通信部を介して、前記撮像装置から画像データを受信する第２通信制御部と、
画像を表示する第２表示部と、
前記第２通信部を介して受信した前記画像データに対応する画像を前記第２表示部に表示させる第２表示制御部と、
前記撮像装置への操作指示を受け付ける指示受付部と、
前記指示受付部にて受け付けた操作指示に基づいて、当該通信機器のユーザにて指定された被写体像を含む画像に関する被写体像情報を含む記録予約情報を生成する記録予約情報生成部とを備え、
前記第２通信制御部は、
前記第２通信部を介して、前記記録予約情報生成部にて生成された前記記録予約情報を前記撮像装置に送信する
ことを特徴とする撮像システム。
【請求項１０】
被写体を撮像する撮像装置が行う撮像方法において、
前記被写体を撮像して画像データを生成する撮像ステップと、
前記撮像ステップにて生成した前記画像データを外部の通信機器に送信する送信ステップと、
前記撮像装置の位置に関する位置情報を取得する位置取得ステップと、
前記撮像装置にて撮像される方位に関する方位情報を取得する方位取得ステップと、
前記通信機器のユーザにて指定された被写体像を含む画像に関する被写体像情報を含む記録予約情報を前記通信機器から受信した場合に、当該記録予約情報に基づいて、前記被写体像情報、並びに、前記記録予約情報を受信した際に前記位置取得ステップ及び前記方位取得ステップにてそれぞれ取得した前記位置情報及び前記方位情報を含む特定情報を生成し、当該特定情報を記録部に記録する特定情報生成ステップと、
前記記録部に記録された前記特定情報、並びに、現時点で前記位置取得ステップ及び前記方位取得ステップにてそれぞれ取得した前記位置情報及び前記方位情報に基づいて、前記被写体像の存在する方向または位置に合わせたユーザの行為を促すメッセージを報知する報知ステップとを含む
ことを特徴とする撮像方法。
【請求項１１】
請求項１０に記載の撮像方法を撮像装置に実行させる
ことを特徴とする撮像プログラム。
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
被写体を撮像する撮像装置において、
前記被写体を撮像して画像データを生成する撮像部と、
外部の通信機器と情報を送受信可能に接続する第１通信部と、
前記第１通信部を介して、前記撮像部にて生成された前記画像データを前記通信機器に送信するとともに、前記通信機器のユーザにて指定された被写体像を含む画像に関する被写体像情報を含む記録予約情報を前記通信機器から受信する第１通信制御部と、
当該撮像装置の位置に関する位置情報を取得する位置取得部と、
当該撮像装置にて撮像される方位に関する方位情報を取得する方位取得部と、
前記第１通信部を介して受信した前記記録予約情報に基づいて、前記被写体像情報、並びに、前記第１通信部を介して前記記録予約情報を受信した際に前記位置取得部及び前記方位取得部にてそれぞれ取得された前記位置情報及び前記方位情報を含む特定情報を生成し、当該特定情報を記録部に記録する特定情報生成部と、
前記記録部に記録された前記特定情報、並びに、現時点で前記位置取得部及び前記方位取得部にてそれぞれ取得された前記位置情報及び前記方位情報に基づいて、前記被写体像の存在する方向または位置に合わせたユーザの行為を促すメッセージを報知する報知部と、
前記記録部に記録された前記特定情報に基づいて、前記撮像部にて生成された前記画像データに前記被写体像が含まれているか否かを判定する判定部と、
前記判定部にて前記画像データに前記被写体像が含まれていると判定された場合に、前記画像データを前記記録部に記録するとともに、前記画像データの記録に用いたことを示す情報を前記判定部による判定に用いられた前記特定情報に関連付けて前記記録部に記録する撮像制御部とを備える
ことを特徴とする撮像装置。
【請求項２】
前記報知部は、
前記判定部にて前記画像データに前記被写体像が含まれていると判定された場合に、前記画像データに前記被写体像が含まれている旨を報知する
ことを特徴とする請求項１に記載の撮像装置。
【請求項３】
前記報知部は、
画像を表示する第１表示部と、
前記撮像部にて生成された前記画像データに対応する画像を前記第１表示部に表示させるとともに、前記判定部にて前記画像データに前記被写体像が含まれていると判定された場合に、前記撮像部にて生成された前記画像データに対応する画像に前記被写体像を識別するための識別情報を重畳した重畳画像を前記第１表示部に表示させる第１表示制御部とを備える
ことを特徴とする請求項２に記載の撮像装置。
【請求項４】
前記報知部は、
前記判定部にて前記画像データに前記被写体像が含まれていないと判定された場合に、前記メッセージを報知する
ことを特徴とする請求項１に記載の撮像装置。
【請求項５】
前記報知部は、
画像を表示する第１表示部と、
前記判定部にて前記画像データに前記被写体像が含まれていないと判定された場合に、前記メッセージを前記第１表示部に表示させる第１表示制御部とを備える
ことを特徴とする請求項４に記載の撮像装置。
【請求項６】
前記撮像部にて生成された前記画像データを時系列的に並べた動画ファイルを生成する動画ファイル生成部を備え、
前記第１通信制御部は、
前記第１通信部を介して、前記動画ファイル生成部にて生成された前記動画ファイルを前記通信機器に送信するとともに、前記通信機器から前記動画ファイル中の前記画像データに含まれる被写体像を当該撮像装置に記録させるための前記記録予約情報を受信する
ことを特徴とする請求項１〜５のいずれか一つに記載の撮像装置。
【請求項７】
前記報知部は、
前記第１通信部を介して前記記録予約情報を受信した場合に、前記記録予約情報を受信した旨を報知する
ことを特徴とする請求項１〜６のいずれか一つに記載の撮像装置。
【請求項８】
請求項１〜７のいずれか一つに記載の撮像装置と、
前記撮像装置との間で情報を送受信可能に接続する通信機器とを備え、
前記通信機器は、
前記撮像装置との間で情報を送受信可能に接続する第２通信部と、
前記第２通信部を介して、前記撮像装置から画像データを受信する第２通信制御部と、
画像を表示する第２表示部と、
前記第２通信部を介して受信した前記画像データに対応する画像を前記第２表示部に表示させる第２表示制御部と、
前記撮像装置への操作指示を受け付ける指示受付部と、
前記指示受付部にて受け付けた操作指示に基づいて、当該通信機器のユーザにて指定された被写体像を含む画像に関する被写体像情報を含む記録予約情報を生成する記録予約情報生成部とを備え、
前記第２通信制御部は、
前記第２通信部を介して、前記記録予約情報生成部にて生成された前記記録予約情報を前記撮像装置に送信する
ことを特徴とする撮像システム。
【請求項９】
被写体を撮像する撮像装置が行う撮像方法において、
前記被写体を撮像して画像データを生成する撮像ステップと、
前記撮像ステップにて生成した前記画像データを外部の通信機器に送信する送信ステップと、
前記撮像装置の位置に関する位置情報を取得する位置取得ステップと、
前記撮像装置にて撮像される方位に関する方位情報を取得する方位取得ステップと、
前記通信機器のユーザにて指定された被写体像を含む画像に関する被写体像情報を含む記録予約情報を前記通信機器から受信した場合に、当該記録予約情報に基づいて、前記被写体像情報、並びに、前記記録予約情報を受信した際に前記位置取得ステップ及び前記方位取得ステップにてそれぞれ取得した前記位置情報及び前記方位情報を含む特定情報を生成し、当該特定情報を記録部に記録する特定情報生成ステップと、
前記記録部に記録された前記特定情報、並びに、現時点で前記位置取得ステップ及び前記方位取得ステップにてそれぞれ取得した前記位置情報及び前記方位情報に基づいて、前記被写体像の存在する方向または位置に合わせたユーザの行為を促すメッセージを報知する報知ステップと、
前記記録部に記録された前記特定情報に基づいて、前記撮像部にて生成された前記画像データに前記被写体像が含まれているか否かを判定する判定ステップと、
前記判定ステップにて前記画像データに前記被写体像が含まれていると判定した場合に、前記画像データを前記記録部に記録するとともに、前記画像データの記録に用いたことを示す情報を前記判定ステップで用いた前記特定情報に関連付けて前記記録部に記録する撮像制御ステップとを含む
ことを特徴とする撮像方法。
【請求項１０】
請求項９に記載の撮像方法を撮像装置に実行させる
ことを特徴とする撮像プログラム。
【国際調査報告】
2015052959.tif 000017
2015052959.tif 000018
2015052959.tif 000019
2015052959.tif 000020